(57)【要約】  【課題】偽造貨幣が使用されているおそれのある遊技用装置を把握して偽造貨幣による遊技場の損失を極力防止することを可能とする遊技用システム及び遊技用管理装置を提供する。  【解決手段】精算金額が高額精算基準金額（ここでは7000円）以上であるか否かの判定が実施され（Ｓ３２４）、高額精算基準金額以上であると判定された場合には（Ｙ）、精算カードＤＢによって該入金ＩＤに対応付けて記憶されている装置ＩＤを特定し（Ｓ３２５）、カードユニットＤＢにおいて、該特定した装置ＩＤに対応する高額精算回数に１を加算する（Ｓ３２６）。次いで、該加算更新後の高額精算回数が、該装置ＩＤと対応付けて記憶されている高額精算回数基準値に達していれば、該装置ＩＤと高額精算回数（及び受付可能貨幣）を、ディスプレイの報知画面に表示する（Ｓ３２７）。【選択図】        図１７
2006075180.tif 000002
【特許請求の範囲】
【請求項１】
遊技機に対応して設けられ、
貨幣を受け付ける貨幣受付手段と、
該貨幣受付手段により受け付けた貨幣の金額に相当する有価価値の大きさである受付有価価値の大きさの範囲内における所定の大きさの有価価値に相当する遊技媒体を貸与するための貸与処理を行う貨幣貸与処理手段と、
前記受付有価価値の大きさから前記貨幣貸与処理手段により貸与処理に使用された有価価値の大きさである貸与有価価値の大きさを減算した残有価価値の大きさを特定するための残有価価値特定情報と当該遊技用装置を特定するための装置特定情報とが少なくとも記録された精算用記録媒体を排出する処理を行う精算用記録媒体処理手段と、を有する遊技用装置と、
前記精算用記録媒体を受け付けて、該受け付けた精算用記録媒体に記録されている残有価価値特定情報から特定される残有価価値の大きさに相当する金額の貨幣を返却して精算する精算処理手段と、
該精算処理手段による精算に供される精算用記録媒体に記録されている残有価価値特定情報と装置特定情報とを送信する記録情報送信手段と、を有する精算装置と、
該精算装置と通信可能であり、
前記記録情報送信手段から送信された残有価価値特定情報から特定される残有価価値の大きさが予め定められた第１の所定の大きさ以上であることを条件として、該記録情報送信手段から送信された装置特定情報から特定される遊技用装置に対応する高額精算回数を加算更新する高額精算回数加算更新手段と、
該高額精算回数加算更新手段により加算更新された所定期間内における高額精算回数が予め定められた所定回数に達した遊技用装置を特定可能な態様で報知する報知手段と、を有する遊技用管理装置と、
を備えることを特徴とする遊技用システム。
【請求項２】
請求項１に記載した遊技用システムであって、
前記精算用記録媒体処理手段は、前記残有価価値特定情報と前記装置特定情報とを兼ねる情報としての残有価価値特定情報が少なくとも記録された精算用記録媒体を排出する処理を行い、
前記遊技用管理装置は、前記残有価価値特定情報と対応付けて、当該残有価価値特定情報から特定される残有価価値の大きさと、当該残有価価値特定情報が記録された精算用記録媒体を前記精算用記録媒体処理手段により排出した遊技用装置を個々に識別可能な装置識別情報とを記憶する管理装置記憶手段をさらに有し、
前記精算処理手段は、前記受け付けた精算用記録媒体に記録された残有価価値特定情報と対応付けて前記管理装置記憶手段に記憶されている残有価価値の大きさに相当する金額の貨幣を返却して精算し、
前記高額精算回数加算更新手段は、前記記録情報送信手段から送信された残有価価値特定情報と対応付けて前記管理装置記憶手段で記憶されている残有価価値の大きさが予め定められた第１の所定の大きさ以上であることを条件として、当該残有価価値特定情報と対応付けて前記管理装置記憶手段で記憶されている装置識別情報の遊技用装置に対応する高額精算回数を加算更新することを特徴とする遊技用システム。
【請求項３】
遊技機に対応して設けられ、
貨幣を受け付ける貨幣受付手段と、
該貨幣受付手段により受け付けた貨幣の金額に相当する有価価値の大きさである受付有価価値の大きさの範囲内における所定の大きさの有価価値に相当する遊技媒体を貸与するための貸与処理を行う貨幣貸与処理手段と、
前記受付有価価値の大きさから前記貨幣貸与処理手段により貸与処理に使用された有価価値の大きさである貸与有価価値の大きさを減算した残有価価値の大きさを特定するための残有価価値特定情報と当該遊技用装置を特定するための装置特定情報とが少なくとも記録された精算用記録媒体を排出する処理を行う精算用記録媒体処理手段と、を有する遊技用装置と、
前記精算用記録媒体を受け付けて、該受け付けた精算用記録媒体に記録されている残有価価値特定情報から特定される残有価価値の大きさに相当する金額の貨幣を返却して精算する精算処理手段と、
該精算処理手段による精算に供される精算用記録媒体に記録されている残有価価値特定情報と装置特定情報とを送信する記録情報送信手段と、を有する精算装置と、
該精算装置と通信可能であり、
前記記録情報送信手段から送信された残有価価値特定情報から特定される残有価価値の大きさが予め定められた第１の所定の大きさ以上であることを条件として、該記録情報送信手段から送信された装置特定情報から特定される遊技用装置に対応する高額精算回数を加算更新する高額精算回数加算更新手段と、
該高額精算回数加算更新手段により加算更新された所定期間内における高額精算回数が予め定められた所定回数に達した遊技用装置から排出された精算用記録媒体による精算を禁止するための処理を行う精算禁止処理手段と、を有する遊技用管理装置と、
を備えることを特徴とする遊技用システム。
【請求項４】
請求項３に記載した遊技用システムであって、
前記精算用記録媒体処理手段は、前記残有価価値特定情報と前記装置特定情報とを兼ねる情報としての残有価価値特定情報が少なくとも記録された精算用記録媒体を排出する処理を行い、
前記遊技用管理装置は、前記残有価価値特定情報と対応付けて、当該残有価価値特定情報から特定される残有価価値の大きさと、当該残有価価値特定情報が記録された精算用記録媒体を前記精算用記録媒体処理手段により排出した遊技用装置を個々に識別可能な装置識別情報とを記憶する管理装置記憶手段をさらに有し、
前記精算処理手段は、前記受け付けた精算用記録媒体に記録された残有価価値特定情報と対応付けて前記管理装置記憶手段に記憶されている残有価価値の大きさに相当する金額の貨幣を返却して精算し、
前記高額精算回数加算更新手段は、前記記録情報送信手段から送信された残有価価値特定情報と対応付けて前記管理装置記憶手段で記憶されている残有価価値の大きさが予め定められた第１の所定の大きさ以上であることを条件として、当該残有価価値特定情報と対応付けて前記管理装置記憶手段で記憶されている装置識別情報の遊技用装置に対応する高額精算回数を加算更新することを特徴とする遊技用システム。
【請求項５】
請求項４に記載した遊技用システムであって、
前記記録情報送信手段は、前記残有価価値特定情報を含む精算許諾要求を送信し、
前記精算禁止処理手段は、前記記録情報送信手段から送信された精算許諾要求に含まれる残有価価値特定情報と対応付けて前記管理装置記憶手段に記憶されている装置識別情報の遊技用装置に対応する高額精算回数が前記所定回数に達しており、かつ該装置識別情報と対応付けて前記管理装置記憶手段で記憶されている残有価価値の大きさが予め定められた第２の所定の大きさ以上であることを条件として、当該残有価価値の大きさについての精算を許諾しない旨を前記精算許諾要求の送信元の精算装置に返信する処理を行うことを特徴とする遊技用システム。
【請求項６】
請求項３又は４に記載した遊技用システムであって、
前記精算禁止処理手段は、前記高額精算回数加算更新手段により加算更新された所定期間内における高額精算回数が予め定められた所定回数に達した遊技用装置を個々に識別可能な装置識別情報を前記精算装置に送信する処理を行い、
前記精算装置は、前記精算禁止処理手段により送信された装置識別情報を記憶する精算禁止情報記憶手段をさらに有し、
前記精算処理手段は、前記受け付けた精算用記録媒体の装置特定情報から特定される遊技用装置の装置識別情報が前記精算禁止情報記憶手段に記憶されており、かつ該精算用記録媒体に記録されている残有価価値特定情報から特定される残有価価値の大きさが予め定められた第２の所定の大きさ以上であることを条件として、当該残有価価値の大きさについての精算を行わないことを特徴とする遊技用システム。
【請求項７】
請求項１〜６のいずれか１つに記載した遊技用システムであって、
前記遊技用管理装置は、前記遊技用装置毎に前記所定回数を設定変更する高額精算回数設定手段をさらに有することを特徴とする遊技用システム。
【請求項８】
請求項１〜７のいずれか１つに記載した遊技用システムであって、
前記遊技用管理装置は、
前記遊技用装置を個々に識別可能な装置識別情報及び該装置識別情報の遊技用装置にて受付可能な貨幣の金種の指定を受け付ける金種指定受付手段と、
該金種指定受付手段により指定を受け付けた装置識別情報の遊技用装置に対して当該金種指定受付手段により指定を受け付けた貨幣の金種を特定可能な金種特定情報を送信する受付金種特定情報送信手段と、をさらに有し、
前記遊技用装置は、前記受付金種特定情報送信手段から送信されてきた金種特定情報から特定される金種の貨幣のみを前記貨幣受付手段により受付可能とする設定を行う指定貨幣設定手段をさらに有することを特徴とする遊技用システム。
【請求項９】
請求項１〜８のいずれか１つに記載した遊技用システムであって、
前記遊技用管理装置は、前記高額精算回数加算更新手段により加算更新された所定期間内における高額精算回数が前記所定回数に達した遊技用装置に対して、当該遊技用装置にて受付可能な貨幣の金種を指令する受付金種指令手段をさらに有し、
前記遊技用装置は、前記受付金種指令手段により指令された金種の貨幣のみを前記貨幣受付手段により受付可能とする設定を行う指令貨幣設定手段をさらに有することを特徴とする遊技用システム。
【請求項１０】
遊技機に対応して設けられ、
貨幣を受け付ける貨幣受付手段と、
該貨幣受付手段により受け付けた貨幣の金額に相当する有価価値の大きさである受付有価価値の大きさの範囲内における所定の大きさの有価価値に相当する遊技媒体を貸与するための貸与処理を行う貨幣貸与処理手段と、
前記受付有価価値の大きさから前記貨幣貸与処理手段により貸与処理に使用された有価価値の大きさである貸与有価価値の大きさを減算した残有価価値の大きさを特定するための残有価価値特定情報と当該遊技用装置を特定するための装置特定情報とが少なくとも記録された精算用記録媒体を排出する処理を行う精算用記録媒体処理手段と、を有する遊技用装置が設置される遊技場に設けられ、
前記精算用記録媒体を受け付けて、該受け付けた精算用記録媒体に記録されている残有価価値特定情報から特定される残有価価値の大きさに相当する金額の貨幣を返却して精算する精算処理手段と、
該精算処理手段による精算に供される精算用記録媒体に記録されている残有価価値特定情報と装置特定情報とを送信する記録情報送信手段と、を有する精算装置と通信可能であり、
前記記録情報送信手段から送信された残有価価値特定情報から特定される残有価価値の大きさが予め定められた第１の所定の大きさ以上であることを条件として、該記録情報送信手段から送信された装置特定情報から特定される遊技用装置に対応する高額精算回数を加算更新する高額精算回数加算更新手段と、
該高額精算回数加算更新手段により加算更新された所定期間内における高額精算回数が予め定められた所定回数に達した遊技用装置を特定可能な態様で報知する報知手段と、を有することを特徴とする遊技用管理装置。
【請求項１１】
請求項１０に記載した遊技用管理装置であって、
前記残有価価値特定情報と対応付けて、当該残有価価値特定情報から特定される残有価価値の大きさと、当該残有価価値特定情報が記録された精算用記録媒体を前記精算用記録媒体処理手段により排出した遊技用装置を個々に識別可能な装置識別情報とを記憶する管理装置記憶手段をさらに有し、
前記高額精算回数加算更新手段は、前記記録情報送信手段から送信された残有価価値特定情報と対応付けて前記管理装置記憶手段で記憶されている残有価価値の大きさが予め定められた第１の所定の大きさ以上であることを条件として、当該残有価価値特定情報と対応付けて前記管理装置記憶手段で記憶されている装置識別情報の遊技用装置に対応する高額精算回数を加算更新することを特徴とする遊技用管理装置。
【請求項１２】
遊技機に対応して設けられ、
貨幣を受け付ける貨幣受付手段と、
該貨幣受付手段により受け付けた貨幣の金額に相当する有価価値の大きさである受付有価価値の大きさの範囲内における所定の大きさの有価価値に相当する遊技媒体を貸与するための貸与処理を行う貨幣貸与処理手段と、
前記受付有価価値の大きさから前記貨幣貸与処理手段により貸与処理に使用された有価価値の大きさである貸与有価価値の大きさを減算した残有価価値の大きさを特定するための残有価価値特定情報と当該遊技用装置を特定するための装置特定情報とが少なくとも記録された精算用記録媒体を排出する処理を行う精算用記録媒体処理手段と、を有する遊技用装置が設置される遊技場に設けられ、
前記精算用記録媒体を受け付けて、該受け付けた精算用記録媒体に記録されている残有価価値特定情報から特定される残有価価値の大きさに相当する金額の貨幣を返却して精算する精算処理手段と、
該精算処理手段による精算に供される精算用記録媒体に記録されている残有価価値特定情報と装置特定情報とを送信する記録情報送信手段と、を有する精算装置と通信可能であり、
前記記録情報送信手段から送信された残有価価値特定情報から特定される残有価価値の大きさが予め定められた第１の所定の大きさ以上であることを条件として、該記録情報送信手段から送信された装置特定情報から特定される遊技用装置に対応する高額精算回数を加算更新する高額精算回数加算更新手段と、
該高額精算回数加算更新手段により加算更新された所定期間内における高額精算回数が予め定められた所定回数に達した遊技用装置から排出された精算用記録媒体による精算を禁止するための処理を行う精算禁止処理手段と、を有することを特徴とする遊技用管理装置。
【請求項１３】
請求項１２に記載した遊技用管理装置であって、
前記残有価価値特定情報と対応付けて、当該残有価価値特定情報から特定される残有価価値の大きさと、当該残有価価値特定情報が記録された精算用記録媒体を前記精算用記録媒体処理手段により排出した遊技用装置を個々に識別可能な装置識別情報とを記憶する管理装置記憶手段をさらに有し、
前記高額精算回数加算更新手段は、前記記録情報送信手段から送信された残有価価値特定情報と対応付けて前記管理装置記憶手段で記憶されている残有価価値の大きさが予め定められた第１の所定の大きさ以上であることを条件として、当該残有価価値特定情報と対応付けて前記管理装置記憶手段で記憶されている装置識別情報の遊技用装置に対応する高額精算回数を加算更新することを特徴とする遊技用管理装置。
【請求項１４】
請求項１３に記載した遊技用管理装置であって、
前記精算禁止処理手段は、前記記録情報送信手段から送信された精算許諾要求に含まれる残有価価値特定情報と対応付けて前記管理装置記憶手段に記憶されている装置識別情報の遊技用装置に対応する高額精算回数が前記所定回数に達しており、かつ該装置識別情報と対応付けて前記管理装置記憶手段で記憶されている残有価価値の大きさが予め定められた第２の所定の大きさ以上であることを条件として、当該残有価価値の大きさについての精算を許諾しない旨を前記精算許諾要求の送信元の精算装置に返信する処理を行うことを特徴とする遊技用管理装置。
【請求項１５】
請求項１０〜１４のいずれか１つに記載した遊技用管理装置であって、
前記遊技用装置毎に前記所定回数を設定変更する高額精算回数設定手段をさらに有することを特徴とする遊技用管理装置。
【請求項１６】
請求項１０〜１５のいずれか１つに記載した遊技用管理装置であって、
前記遊技用装置を個々に識別可能な装置識別情報及び該装置識別情報の遊技用装置にて受付可能な貨幣の金種の指定を受け付ける金種指定受付手段と、
該金種指定受付手段により指定を受け付けた装置識別情報の遊技用装置に対して当該金種指定受付手段により指定を受け付けた貨幣の金種を特定可能な金種特定情報を送信する受付金種特定情報送信手段と、をさらに有することを特徴とする遊技用管理装置。
【請求項１７】
請求項１０〜１６のいずれか１つに記載した遊技用管理装置であって、
前記高額精算回数加算更新手段により加算更新された所定期間内における高額精算回数が前記所定回数に達した遊技用装置に対して、当該遊技用装置にて受付可能な貨幣の金種を指令する受付金種指令手段をさらに有することを特徴とする遊技用管理装置。
【発明の詳細な説明】
【技術分野】
【０００１】
本発明は、貨幣を受け付けて遊技媒体を貸与可能であると共に、該遊技媒体の貸与に使用されなかった残額を遊技者に返却して精算可能な遊技用システムに関する。
【背景技術】
【０００２】
従来より、例えば特許文献１に示すように、遊技媒体貸出装置（メダル貸出機）と、該遊技媒体貸出装置と通信可能な島コントローラと、該島コントローラと通信可能なカード精算機と、からなる遊技媒体貸出システムであって、遊技媒体貸出装置において、貨幣を受け付けると、該受け付けた貨幣の金額を記憶し、該記憶されている金額を使用して遊技媒体を貸与し、該記憶されている金額から遊技媒体の貸与に使用された金額を減算し、外部から精算カードが投入されると、該精算カードに予め付与されている識別ＩＤと前記記憶されている減算後の金額を示す金額データとを島コントローラに送信し、島コントローラにおいて、識別ＩＤと残額データとを対応付けて記憶し、カード精算機において、外部から精算カードが投入されると、該精算カードの識別ＩＤと対応付けて記憶されている残額データを島コントローラに対して問い合わせ、該島コントローラで記憶されている残額データに基づいて精算金の払い出しを行うことにより、遊技媒体の貸与に使用されなかった残額を遊技者に返却して精算するものが知られている。
【０００３】
【特許文献１】特開２００４−８１４６１号公報（第６頁，図１，図５）
【発明の開示】
【発明が解決しようとする課題】
【０００４】
上記従来の遊技媒体貸出システムでは、島コントローラが識別ＩＤに対応付けて残額データを管理しており、該残額データを超える精算金の払出が実施されないようになっているので、精算カードの残額が不正に書き換えられた場合等に遊技場の損害を防止することができる。しかし、上記遊技媒体貸出装置において偽造貨幣（特に5000円紙幣，10000円紙幣等の高額紙幣の偽造紙幣）が使用される場合、該偽造貨幣が一旦受け付けられてしまった後は、精算カードにより精算金の払出を実施することが可能であり、これにより偽造貨幣から残額データ分の正規貨幣を入手するといった不正が行われるおそれがある。この不正において、貨幣を受け付けた際に記憶された金額を全く使用することなく（あるいはそのうちの少額のみを使用して）精算カードにより精算金の払出が実施されると、払い出される金額は偽造対象となった貨幣の金額（あるいはそれに近い金額）となり、この不正によって遊技場は多大な損失を被る。特に、貨幣の識別能力は遊技媒体貸出装置（遊技媒体貸出装置の紙幣識別機や硬貨識別機）によって個体差があり、識別能力の低い遊技媒体貸出装置を狙って上記の不正が頻繁に行われたときに、遊技場はその損失を防止することができず、損失が拡大するという問題がある。
【０００５】
本発明は、このような背景のもとになされたものであり、その目的は、偽造貨幣が使用されているおそれのある遊技用装置（前記遊技媒体貸出装置に相当）を把握して偽造貨幣による遊技場の損失を極力防止することを可能とする遊技用システム及び遊技用管理装置を提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、遊技機（パチンコ機１０）に対応して設けられ、貨幣（紙幣２，硬貨３）を受け付ける貨幣受付手段（紙幣識別機２３，硬貨識別機２４）と、該貨幣受付手段により受け付けた貨幣の金額に相当する有価価値の大きさである受付有価価値の大きさ（入金金額）の範囲内における所定の大きさの有価価値に相当する遊技媒体（パチンコ玉）を貸与するための貸与処理（現金玉貸処理）を行う貨幣貸与処理手段（ユニット制御部２２）と、前記受付有価価値の大きさから前記貨幣貸与処理手段により貸与処理に使用された有価価値の大きさである貸与有価価値の大きさ（使用金額）を減算した残有価価値の大きさ（入金残額）を特定するための残有価価値特定情報（入金ＩＤ）と当該遊技用装置（カードユニット２０）を特定するための装置特定情報（装置ＩＤを特定するための入金ＩＤ）とが少なくとも記録された精算用記録媒体（精算カード５）を排出する処理を行う精算用記録媒体処理手段（カードＲ／Ｗ制御部２８）と、を有する遊技用装置と、前記精算用記録媒体を受け付けて、該受け付けた精算用記録媒体に記録されている残有価価値特定情報から特定される残有価価値の大きさ（カード残額）に相当する金額の貨幣を返却して精算する精算処理手段（制御部６２）と、該精算処理手段による精算に供される精算用記録媒体に記録されている残有価価値特定情報と装置特定情報とを送信する記録情報送信手段（通信部６１）と、を有する精算装置（６０）と、該精算装置と通信可能であり、前記記録情報送信手段から送信された残有価価値特定情報から特定される残有価価値の大きさが予め定められた第１の所定の大きさ（高額精算基準金額）以上であることを条件として、該記録情報送信手段から送信された装置特定情報から特定される遊技用装置に対応する高額精算回数を加算更新する高額精算回数加算更新手段（制御部５２）と、該高額精算回数加算更新手段により加算更新された所定期間（集計期間）内における高額精算回数が予め定められた所定回数（高額精算回数基準値）に達した遊技用装置を特定可能な態様で報知する報知手段（ディスプレイ５４）と、を有する遊技用管理装置（システムコントローラ５０）と、を備えることを特徴とする遊技用システム（１）である。
【０００８】
また請求項２に係る発明は、請求項１に記載した遊技用システム（１）であって、前記精算用記録媒体処理手段（カードＲ／Ｗ２８）は、前記残有価価値特定情報と前記装置特定情報とを兼ねる情報としての残有価価値特定情報（入金ＩＤ）が少なくとも記録された精算用記録媒体（精算カード５）を排出する処理を行い、前記遊技用管理装置（システムコントローラ５０）は、前記残有価価値特定情報（入金ＩＤ）と対応付けて、当該残有価価値特定情報から特定される残有価価値の大きさ（カード残額）と、当該残有価価値特定情報が記録された精算用記録媒体（精算カード５）を前記精算用記録媒体処理手段（カードＲ／Ｗ制御部２８）により排出した遊技用装置（カードユニット２０）を個々に識別可能な装置識別情報（装置ＩＤ）とを記憶する管理装置記憶手段（精算カードＤＢ）をさらに有し、前記精算処理手段は、前記受け付けた精算用記録媒体に記録された残有価価値特定情報と対応付けて前記管理装置記憶手段に記憶されている残有価価値の大きさに相当する金額の貨幣を返却して精算し、前記高額精算回数加算更新手段（制御部５２）は、前記記録情報送信手段（通信部６１）から送信された残有価価値特定情報と対応付けて前記管理装置記憶手段で記憶されている残有価価値の大きさが予め定められた第１の所定の大きさ（高額精算基準金額）以上であることを条件として、当該残有価価値特定情報と対応付けて前記管理装置記憶手段で記憶されている装置識別情報の遊技用装置に対応する高額精算回数を加算更新することを特徴とする遊技用システムである。
【０００９】
また請求項３に係る発明は、遊技機（パチンコ機１０）に対応して設けられ、貨幣（紙幣２，硬貨３）を受け付ける貨幣受付手段（紙幣識別機２３，硬貨識別機２４）と、該貨幣受付手段により受け付けた貨幣の金額に相当する有価価値の大きさである受付有価価値の大きさ（入金金額）の範囲内における所定の大きさの有価価値に相当する遊技媒体（パチンコ玉）を貸与するための貸与処理（現金玉貸処理）を行う貨幣貸与処理手段（ユニット制御部２２）と、前記受付有価価値の大きさから前記貨幣貸与処理手段により貸与処理に使用された有価価値の大きさである貸与有価価値の大きさ（使用金額）を減算した残有価価値の大きさ（入金残額）を特定するための残有価価値特定情報（入金ＩＤ）と当該遊技用装置（カードユニット２０）を特定するための装置特定情報（装置ＩＤを特定するための入金ＩＤ）とが少なくとも記録された精算用記録媒体（精算カード５）を排出する処理を行う精算用記録媒体処理手段（カードＲ／Ｗ制御部２８）と、を有する遊技用装置と、前記精算用記録媒体を受け付けて、該受け付けた精算用記録媒体に記録されている残有価価値特定情報から特定される残有価価値の大きさ（カード残額）に相当する金額の貨幣を返却して精算する精算処理手段（制御部６２）と、該精算処理手段による精算に供される精算用記録媒体に記録されている残有価価値特定情報と装置特定情報とを送信する記録情報送信手段（通信部６１）と、を有する精算装置（６０）と、該精算装置と通信可能であり、前記記録情報送信手段から送信された残有価価値特定情報から特定される残有価価値の大きさが予め定められた第１の所定の大きさ（高額精算基準金額）以上であることを条件として、該記録情報送信手段から送信された装置特定情報から特定される遊技用装置に対応する高額精算回数を加算更新する高額精算回数加算更新手段（制御部５２）と、該高額精算回数加算更新手段により加算更新された所定期間（集計期間）内における高額精算回数が予め定められた所定回数（高額精算回数基準値）に達した遊技用装置から排出された精算用記録媒体による精算を禁止するための処理を行う精算禁止処理手段（制御部５２）と、を有する遊技用管理装置（システムコントローラ５０）と、を備えることを特徴とする遊技用システム（１）である。
【００１０】
また請求項４に係る発明は、請求項３に記載した遊技用システム（１）であって、前記精算用記録媒体処理手段（カードＲ／Ｗ２８）は、前記残有価価値特定情報と前記装置特定情報とを兼ねる情報としての残有価価値特定情報（入金ＩＤ）が少なくとも記録された精算用記録媒体（精算カード５）を排出する処理を行い、前記遊技用管理装置（システムコントローラ５０）は、前記残有価価値特定情報（入金ＩＤ）と対応付けて、当該残有価価値特定情報から特定される残有価価値の大きさ（カード残額）と、当該残有価価値特定情報が記録された精算用記録媒体（精算カード５）を前記精算用記録媒体処理手段（カードＲ／Ｗ制御部２８）により排出した遊技用装置（カードユニット２０）を個々に識別可能な装置識別情報（装置ＩＤ）とを記憶する管理装置記憶手段（精算カードＤＢ）をさらに有し、前記精算処理手段は、前記受け付けた精算用記録媒体に記録された残有価価値特定情報と対応付けて前記管理装置記憶手段に記憶されている残有価価値の大きさに相当する金額の貨幣を返却して精算し、前記高額精算回数加算更新手段（制御部５２）は、前記記録情報送信手段（通信部６１）から送信された残有価価値特定情報と対応付けて前記管理装置記憶手段で記憶されている残有価価値の大きさが予め定められた第１の所定の大きさ（高額精算基準金額）以上であることを条件として、当該残有価価値特定情報と対応付けて前記管理装置記憶手段で記憶されている装置識別情報の遊技用装置に対応する高額精算回数を加算更新することを特徴とする遊技用システムである。
【００１１】
また請求項５に係る発明は、請求項４に記載した遊技用システム（１）であって、前記記録情報送信手段（通信部６１）は、前記残有価価値特定情報（入金ＩＤ）を含む精算許諾要求を送信し、前記精算禁止処理手段（制御部５２）は、前記記録情報送信手段から送信された精算許諾要求に含まれる残有価価値特定情報と対応付けて前記管理装置記憶手段（精算カードＤＢ）に記憶されている装置識別情報（装置ＩＤ）の遊技用装置（カードユニット２０）に対応する高額精算回数が前記所定回数（高額精算回数基準値）に達しており、かつ該装置識別情報と対応付けて前記管理装置記憶手段（精算カードＤＢ）で記憶されている残有価価値の大きさ（カード残額）が予め定められた第２の所定の大きさ（精算不可金額）以上であることを条件として、当該残有価価値の大きさについての精算を許諾しない旨（高額精算回数基準値到達情報）を前記精算許諾要求の送信元の精算装置に返信する処理を行うことを特徴とする遊技用システムである。
【００１２】
また請求項６に係る発明は、請求項３又は４に記載した遊技用システム（１）であって、前記精算禁止処理手段（制御部５２）は、前記高額精算回数加算更新手段（制御部５２）により加算更新された所定期間（集計期間）内における高額精算回数が予め定められた所定回数（高額精算回数基準値）に達した遊技用装置（カードユニット２０）を個々に識別可能な装置識別情報（装置ＩＤ）を前記精算装置（６０）に送信する処理を行い、前記精算装置は、前記精算禁止処理手段により送信された装置識別情報を記憶する精算禁止情報記憶手段（制御部６２のＥＥＰＲＯＭ）をさらに有し、前記精算処理手段（制御部６２）は、前記受け付けた精算用記録媒体（精算カード５）の装置特定情報から特定される遊技用装置の装置識別情報が前記精算禁止情報記憶手段に記憶されており、かつ該精算用記録媒体に記録されている残有価価値特定情報（入金ＩＤ）から特定される残有価価値の大きさ（カード残額）が予め定められた第２の所定の大きさ（精算不可金額）以上であることを条件として、当該残有価価値の大きさについての精算を行わないことを特徴とする遊技用システムである。
【００１３】
また請求項７に係る発明は、請求項１〜６のいずれか１つに記載した遊技用システム（１）であって、前記遊技用管理装置（システムコントローラ５０）は、前記遊技用装置（カードユニット２０）毎に前記所定回数（高額精算回数基準値）を設定変更する高額精算回数設定手段（ディスプレイ５４，入力装置５５）をさらに有することを特徴とする遊技用システムである。
【００１４】
また請求項８に係る発明は、請求項１〜７のいずれか１つに記載した遊技用システム（１）であって、前記遊技用管理装置（システムコントローラ５０）は、前記遊技用装置（カードユニット２０）を個々に識別可能な装置識別情報（装置ＩＤ）及び該装置識別情報の遊技用装置にて受付可能な貨幣（紙幣２，硬貨３）の金種の指定を受け付ける金種指定受付手段（ディスプレイ５４，入力装置５５）と、該金種指定受付手段により指定を受け付けた装置識別情報の遊技用装置に対して当該金種指定受付手段により指定を受け付けた貨幣の金種を特定可能な金種特定情報を送信する受付金種特定情報送信手段（ユニット用通信部５１ａ）と、をさらに有し、前記遊技用装置は、前記受付金種特定情報送信手段から送信されてきた金種特定情報から特定される金種の貨幣のみを前記貨幣受付手段（紙幣識別機２３，硬貨識別機２４）により受付可能とする設定を行う指定貨幣設定手段（ユニット制御部２２）をさらに有することを特徴とする遊技用システムである。
【００１５】
また請求項９に係る発明は、請求項１〜８のいずれか１つに記載した遊技用システム（１）であって、前記遊技用管理装置（システムコントローラ５０）は、前記高額精算回数加算更新手段（制御部５２）により加算更新された所定期間（集計期間）内における高額精算回数が前記所定回数（高額精算回数基準値）に達した遊技用装置（カードユニット２０）に対して、当該遊技用装置にて受付可能な貨幣（紙幣２，硬貨３）の金種を指令する受付金種指令手段（制御部５２）をさらに有し、前記遊技用装置は、前記受付金種指令手段により指令された金種の貨幣のみを前記貨幣受付手段（紙幣識別機２３，硬貨識別機２４）により受付可能とする設定を行う指令貨幣設定手段（ユニット制御部２２）をさらに有することを特徴とする遊技用システムである。
【００１６】
また請求項１０に係る発明は、遊技機（パチンコ機１０）に対応して設けられ、貨幣（紙幣２，硬貨３）を受け付ける貨幣受付手段（紙幣識別機２３，硬貨識別機２４）と、該貨幣受付手段により受け付けた貨幣の金額に相当する有価価値の大きさである受付有価価値の大きさ（入金金額）の範囲内における所定の大きさの有価価値に相当する遊技媒体（パチンコ玉）を貸与するための貸与処理（現金玉貸処理）を行う貨幣貸与処理手段（ユニット制御部２２）と、前記受付有価価値の大きさから前記貨幣貸与処理手段により貸与処理に使用された有価価値の大きさである貸与有価価値の大きさ（使用金額）を減算した残有価価値の大きさ（入金残額）を特定するための残有価価値特定情報（入金ＩＤ）と当該遊技用装置（カードユニット２０）を特定するための装置特定情報（装置ＩＤを特定するための入金ＩＤ）とが少なくとも記録された精算用記録媒体（精算カード５）を排出する処理を行う精算用記録媒体処理手段（カードＲ／Ｗ制御部２８）と、を有する遊技用装置が設置される遊技場に設けられ、前記精算用記録媒体を受け付けて、該受け付けた精算用記録媒体に記録されている残有価価値特定情報から特定される残有価価値の大きさ（カード残額）に相当する金額の貨幣を返却して精算する精算処理手段（制御部６２）と、該精算処理手段による精算に供される精算用記録媒体に記録されている残有価価値特定情報と装置特定情報とを送信する記録情報送信手段（通信部６１）と、を有する精算装置（６０）と通信可能であり、前記記録情報送信手段から送信された残有価価値特定情報から特定される残有価価値の大きさが予め定められた第１の所定の大きさ（高額精算基準金額）以上であることを条件として、該記録情報送信手段から送信された装置特定情報から特定される遊技用装置に対応する高額精算回数を加算更新する高額精算回数加算更新手段（制御部５２）と、該高額精算回数加算更新手段により加算更新された所定期間（集計期間）内における高額精算回数が予め定められた所定回数（高額精算回数基準値）に達した遊技用装置を特定可能な態様で報知する報知手段（ディスプレイ５４）と、を有することを特徴とする遊技用管理装置（システムコントローラ５０）である。
【００１７】
また請求項１１に係る発明は、請求項１０に記載した遊技用管理装置（システムコントローラ５０）であって、前記残有価価値特定情報（入金ＩＤ）と対応付けて、当該残有価価値特定情報から特定される残有価価値の大きさ（カード残額）と、当該残有価価値特定情報が記録された精算用記録媒体（精算カード５）を前記精算用記録媒体処理手段（カードＲ／Ｗ制御部２８）により排出した遊技用装置（カードユニット２０）を個々に識別可能な装置識別情報（装置ＩＤ）とを記憶する管理装置記憶手段（精算カードＤＢ）をさらに有し、前記高額精算回数加算更新手段（制御部５２）は、前記記録情報送信手段（通信部６１）から送信された残有価価値特定情報と対応付けて前記管理装置記憶手段で記憶されている残有価価値の大きさが予め定められた第１の所定の大きさ（高額精算基準金額）以上であることを条件として、当該残有価価値特定情報と対応付けて前記管理装置記憶手段で記憶されている装置識別情報の遊技用装置に対応する高額精算回数を加算更新することを特徴とする遊技用管理装置である。
【００１８】
また請求項１２に係る発明は、遊技機（パチンコ機１０）に対応して設けられ、貨幣（紙幣２，硬貨３）を受け付ける貨幣受付手段（紙幣識別機２３，硬貨識別機２４）と、該貨幣受付手段により受け付けた貨幣の金額に相当する有価価値の大きさである受付有価価値の大きさ（入金金額）の範囲内における所定の大きさの有価価値に相当する遊技媒体（パチンコ玉）を貸与するための貸与処理（現金玉貸処理）を行う貨幣貸与処理手段（ユニット制御部２２）と、前記受付有価価値の大きさから前記貨幣貸与処理手段により貸与処理に使用された有価価値の大きさである貸与有価価値の大きさ（使用金額）を減算した残有価価値の大きさ（入金残額）を特定するための残有価価値特定情報（入金ＩＤ）と当該遊技用装置（カードユニット２０）を特定するための装置特定情報（装置ＩＤを特定するための入金ＩＤ）とが少なくとも記録された精算用記録媒体（精算カード５）を排出する処理を行う精算用記録媒体処理手段（カードＲ／Ｗ制御部２８）と、を有する遊技用装置が設置される遊技場に設けられ、前記精算用記録媒体を受け付けて、該受け付けた精算用記録媒体に記録されている残有価価値特定情報から特定される残有価価値の大きさ（カード残額）に相当する金額の貨幣を返却して精算する精算処理手段（制御部６２）と、該精算処理手段による精算に供される精算用記録媒体に記録されている残有価価値特定情報と装置特定情報とを送信する記録情報送信手段（通信部６１）と、を有する精算装置（６０）と通信可能であり、前記記録情報送信手段から送信された残有価価値特定情報から特定される残有価価値の大きさが予め定められた第１の所定の大きさ（高額精算基準金額）以上であることを条件として、該記録情報送信手段から送信された装置特定情報から特定される遊技用装置に対応する高額精算回数を加算更新する高額精算回数加算更新手段（制御部５２）と、該高額精算回数加算更新手段により加算更新された所定期間（集計期間）内における高額精算回数が予め定められた所定回数（高額精算回数基準値）に達した遊技用装置から排出された精算用記録媒体による精算を禁止するための処理を行う精算禁止処理手段（制御部５２）と、を有することを特徴とする遊技用管理装置（システムコントローラ５０）である。
【００１９】
また請求項１３に係る発明は、請求項１２に記載した遊技用管理装置（システムコントローラ５０）であって、前記残有価価値特定情報（入金ＩＤ）と対応付けて、当該残有価価値特定情報から特定される残有価価値の大きさ（カード残額）と、当該残有価価値特定情報が記録された精算用記録媒体（精算カード５）を前記精算用記録媒体処理手段（カードＲ／Ｗ制御部２８）により排出した遊技用装置（カードユニット２０）を個々に識別可能な装置識別情報（装置ＩＤ）とを記憶する管理装置記憶手段（精算カードＤＢ）をさらに有し、前記高額精算回数加算更新手段（制御部５２）は、前記記録情報送信手段（通信部６１）から送信された残有価価値特定情報と対応付けて前記管理装置記憶手段で記憶されている残有価価値の大きさが予め定められた第１の所定の大きさ（高額精算基準金額）以上であることを条件として、当該残有価価値特定情報と対応付けて前記管理装置記憶手段で記憶されている装置識別情報の遊技用装置に対応する高額精算回数を加算更新することを特徴とする遊技用管理装置である。
【００２０】
また請求項１４に係る発明は、請求項１３に記載した遊技用管理装置（システムコントローラ５０）であって、前記精算禁止処理手段（制御部５２）は、前記記録情報送信手段（通信部６１）から送信された精算許諾要求に含まれる残有価価値特定情報（入金ＩＤ）と対応付けて前記管理装置記憶手段（精算カードＤＢ）に記憶されている装置識別情報（装置ＩＤ）の遊技用装置（カードユニット２０）に対応する高額精算回数が前記所定回数（高額精算回数基準値）に達しており、かつ該装置識別情報と対応付けて前記管理装置記憶手段（精算カードＤＢ）で記憶されている残有価価値の大きさ（カード残額）が予め定められた第２の所定の大きさ（精算不可金額）以上であることを条件として、当該残有価価値の大きさについての精算を許諾しない旨を前記精算許諾要求の送信元の精算装置（６０）に返信する処理を行うことを特徴とする遊技用管理装置である。
【００２１】
また請求項１５に係る発明は、請求項１０〜１４のいずれか１つに記載した遊技用管理装置（システムコントローラ５０）であって、前記遊技用装置（カードユニット２０）毎に前記所定回数（高額精算回数基準値）を設定変更する高額精算回数設定手段（ディスプレイ５４，入力装置５５）をさらに有することを特徴とする遊技用管理装置である。
【００２２】
また請求項１６に係る発明は、請求項１０〜１５のいずれか１つに記載した遊技用管理装置（システムコントローラ５０）であって、前記遊技用装置を個々に識別可能な装置識別情報（装置ＩＤ）及び該装置識別情報の遊技用装置（カードユニット２０）にて受付可能な貨幣（紙幣２，硬貨３）の金種の指定を受け付ける金種指定受付手段（ディスプレイ５４，入力装置５５）と、該金種指定受付手段により指定を受け付けた装置識別情報の遊技用装置に対して当該金種指定受付手段により指定を受け付けた貨幣の金種を特定可能な金種特定情報を送信する受付金種特定情報送信手段（ユニット用通信部５１ａ）と、をさらに有することを特徴とする遊技用管理装置である。
【００２３】
さらに請求項１７に係る発明は、請求項１０〜１６のいずれか１つに記載した遊技用管理装置（システムコントローラ５０）であって、前記高額精算回数加算更新手段（制御部５２）により加算更新された所定期間（集計期間）内における高額精算回数が前記所定回数（高額精算回数基準値）に達した遊技用装置（カードユニット２０）に対して、当該遊技用装置にて受付可能な貨幣（紙幣２，硬貨３）の金種を指令する受付金種指令手段（制御部５２）をさらに有することを特徴とする遊技用管理装置である。
【発明の効果】
【００２４】
まず請求項１に係る遊技用システムによれば、記録情報送信手段から送信された残有価価値特定情報から特定される残有価価値の大きさが第１の所定の大きさ以上であることを条件として、高額精算回数加算更新手段が高額精算回数を加算更新し、報知手段が、所定期間内における高額精算回数が予め定められた所定回数に達した遊技用装置を特定可能な態様で報知するので、偽造貨幣が使用されているおそれのある遊技用装置を遊技場側で把握し、迅速な対応を行うことができる。これにより、偽造貨幣による遊技場の損失を極力防止することができる。特に、貨幣の識別能力の低い遊技用装置を狙って偽造貨幣が頻繁に使用される場合には、これを早い段階で把握して、遊技場の損失を最小減に抑えることができる。
【００２５】
また請求項２に係る遊技用システムによれば、管理装置記憶手段が、残有価価値特定情報と対応付けて、当該残有価価値特定情報から特定される残有価価値の大きさを記憶しており、精算処理手段が該残有価価値の大きさの範囲内で精算を実施するので、精算用記録媒体に記録された残有価価値の大きさの不正な書換による遊技場の損害を極力防止できる。
【００２６】
また請求項３に係る遊技用システムによれば、記録情報送信手段から送信された残有価価値特定情報から特定される残有価価値の大きさが第１の所定の大きさ以上であることを条件として、高額精算回数加算更新手段が高額精算回数を加算更新し、精算禁止処理手段が、所定期間内における高額精算回数が予め定められた所定回数に達した遊技用装置から排出された精算用記録媒体による精算を禁止するための処理を行うので、偽造貨幣が使用されているおそれのある遊技用装置から排出された精算用記録媒体による精算が禁止され、偽造貨幣による遊技場の損失を極力防止することができる。特に、貨幣の識別能力の低い遊技用装置を狙って偽造貨幣が頻繁に使用される場合には、早い段階で精算が禁止されるので、遊技場の損失を最小減に抑えることができる。
【００２７】
また請求項４に係る遊技用システムによれば、管理装置記憶手段が、残有価価値特定情報と対応付けて、当該残有価価値特定情報から特定される残有価価値の大きさを記憶しており、精算処理手段が該残有価価値の大きさの範囲内で精算を実施するので、精算用記録媒体に記録された残有価価値の大きさの不正な書換による遊技場の損害を極力防止できる。
【００２８】
また請求項５に係る遊技用システムによれば、記録情報送信手段から送信された装置識別情報の遊技用装置に対応する高額精算回数が所定回数に達しており、かつ該装置識別情報と対応付けて管理装置記憶手段で記憶されている残有価価値の大きさが第２の所定の大きさ以上であることを条件として、精算禁止処理手段が精算を許諾しないので、高額精算回数が所定回数に達している場合であっても、偽造貨幣の使用による不正の可能性が低い第２の所定の大きさに満たない金額の精算は可能であり、遊技者の不便を解消できる。
【００２９】
また請求項６に係る遊技用システムによれば、精算禁止処理手段は、高額精算回数加算更新手段により加算更新された所定期間内における高額精算回数が所定回数に達した遊技用装置の装置識別情報を精算装置に送信する処理を行い、精算禁止情報記憶手段が、精算禁止処理手段により送信された装置識別情報を記憶し、精算処理手段が、受け付けた精算用記録媒体に記録されている装置識別情報が精算禁止情報記憶手段に記憶されており、かつ該精算用記録媒体に記録されている残有価価値特定情報から特定される残有価価値の大きさが第２の所定の大きさ以上であることを条件として、当該残有価価値の大きさについての精算を行わないので、高額精算回数が所定回数に達している場合であっても、偽造貨幣の使用による不正の可能性が低い第２の所定の大きさに満たない金額の精算は可能であり、遊技者の不便を解消できる。
【００３０】
また請求項７に係る遊技用システムによれば、高額精算回数設定手段により遊技用装置毎に所定回数を設定変更するので、両替機設置の有無や、遊技用装置に対応する遊技機の種別やスペックに応じて適切な回数を設定することができる。
【００３１】
また請求項８に係る遊技用システムによれば、金種指定受付手段により指定を受け付けた装置識別情報の遊技用装置に対して当該金種指定受付手段により指定を受け付けた貨幣の金種を特定可能な金種特定情報を受付金種特定情報送信手段により送信し、指定貨幣設定手段が、受付金種特定情報送信手段から送信されてきた金種特定情報から特定される金種の貨幣のみを貨幣受付手段により受付可能とする設定を行うので、偽造貨幣が使用されているおそれのある遊技用装置が特定されたときに、貨幣受付手段の交換や調整等の措置をすぐには実施することができない場合であっても、受付可能な金種を限定することで偽造貨幣の使用を防止することができる。特に偽造貨幣は通常高額紙幣であるため、高額紙幣以外の貨幣を受付可能とすることで、偽造貨幣の使用による遊技場の損失を極力防止することができる。一方で、受付可能な貨幣により遊技が可能であるので遊技機の稼働率の低下を極力防止することができる。
【００３２】
さらに請求項９に係る遊技用システムによれば、高額精算回数集計手段により集計された所定期間内における高額精算回数が所定回数に達した遊技用装置に対して、当該遊技用装置にて受付可能な貨幣の金種を受付金種指令手段により指令し、指令貨幣設定手段が、受付金種指令手段により指令された金種の貨幣のみを貨幣受付手段により受付可能とする設定を行うので、遊技場の店員による措置等を待つことなく、偽造貨幣が使用されているおそれのある遊技用装置で受付可能な金種を限定することで偽造貨幣の使用を防止することができる。
【００３３】
請求項１０に係る遊技用管理装置によれば、記録情報送信手段から送信された残有価価値特定情報から特定される残有価価値の大きさが第１の所定の大きさ以上であることを条件として、高額精算回数加算更新手段が高額精算回数を加算更新し、報知手段が、所定期間内における高額精算回数が予め定められた所定回数に達した遊技用装置を特定可能な態様で報知するので、偽造貨幣が使用されているおそれのある遊技用装置を遊技場側で把握し、迅速な対応を行うことができる。これにより、偽造貨幣による遊技場の損失を極力防止することができる。特に、貨幣の識別能力の低い遊技用装置を狙って偽造貨幣が頻繁に使用される場合には、これを早い段階で把握して、遊技場の損失を最小減に抑えることができる。
【００３４】
また請求項１１に係る遊技用管理装置によれば、管理装置記憶手段が、残有価価値特定情報と対応付けて、当該残有価価値特定情報から特定される残有価価値の大きさを記憶しており、精算処理手段が該残有価価値の大きさの範囲内で精算を実施するので、精算用記録媒体に記録された残有価価値の大きさの不正な書換による遊技場の損害を極力防止できる。
【００３５】
また請求項１２に係る遊技用管理装置によれば、記録情報送信手段から送信された残有価価値特定情報から特定される残有価価値の大きさが第１の所定の大きさ以上であることを条件として、高額精算回数加算更新手段が高額精算回数を加算更新し、精算禁止処理手段が、所定期間内における高額精算回数が予め定められた所定回数に達した遊技用装置から排出された精算用記録媒体による精算を禁止するための処理を行うので、偽造貨幣が使用されているおそれのある遊技用装置から排出された精算用記録媒体による精算が禁止され、偽造貨幣による遊技場の損失を極力防止することができる。特に、貨幣の識別能力の低い遊技用装置を狙って偽造貨幣が頻繁に使用される場合には、早い段階で精算が禁止されるので、遊技場の損失を最小減に抑えることができる。
【００３６】
また請求項１３に係る遊技用管理装置によれば、管理装置記憶手段が、残有価価値特定情報と対応付けて、当該残有価価値特定情報から特定される残有価価値の大きさを記憶しており、精算処理手段が該残有価価値の大きさの範囲内で精算を実施するので、精算用記録媒体に記録された残有価価値の大きさの不正な書換による遊技場の損害を極力防止できる。
【００３７】
また請求項１４に係る遊技用管理装置によれば、記録情報送信手段から送信された装置識別情報の遊技用装置に対応する高額精算回数が所定回数に達しており、かつ該装置識別情報と対応付けて管理装置記憶手段で記憶されている残有価価値の大きさが第２の所定の大きさ以上であることを条件として、精算禁止処理手段が精算を許諾しないので、高額精算回数が所定回数に達している場合であっても、偽造貨幣の使用による不正の可能性が低い第２の所定の大きさに満たない金額の精算は可能であり、遊技者の不便を解消できる。
【００３８】
また請求項１５に係る遊技用管理装置によれば、高額精算回数設定手段により遊技用装置毎に所定回数を設定変更するので、両替機設置の有無や、遊技用装置に対応する遊技機の種別やスペックに応じて適切な回数を設定することができる。
【００３９】
また請求項１６に係る遊技用管理装置によれば、金種指定受付手段により指定を受け付けた装置識別情報の遊技用装置に対して当該金種指定受付手段により指定を受け付けた貨幣の金種を特定可能な金種特定情報を受付金種特定情報送信手段により送信する。これにより、遊技用装置において、受付金種特定情報送信手段から送信されてきた金種特定情報から特定される金種の貨幣のみを貨幣受付手段により受付可能とする設定を行うので、偽造貨幣が使用されているおそれのある遊技用装置が特定されたときに、貨幣受付手段の交換や調整等の措置をすぐには実施することができない場合であっても、受付可能な金種を限定することで偽造貨幣の使用を防止することができる。特に偽造貨幣は通常高額紙幣であるため、高額紙幣以外の貨幣を受付可能とすることで、偽造貨幣の使用による遊技場の損失を極力防止することができる。一方で、受付可能な貨幣により遊技が可能であるので遊技機の稼働率の低下を極力防止することができる。
【００４０】
さらに請求項１７に係る遊技用管理装置によれば、高額精算回数集計手段により集計された所定期間内における高額精算回数が所定回数に達した遊技用装置に対して、当該遊技用装置にて受付可能な貨幣の金種を受付金種指令手段により指令する。これにより、遊技用装置において、受付金種指令手段により指令された金種の貨幣のみを貨幣受付手段により受付可能とする設定を行うので、遊技場の店員による措置等を待つことなく、偽造貨幣が使用されているおそれのある遊技用装置で受付可能な金種を限定することで偽造貨幣の使用を防止することができる。
【発明を実施するための最良の形態】
【００４１】
以下、本発明の実施の形態を、図面を参照して説明する。なお、以下においては、リーダ／ライタを「Ｒ／Ｗ」，データベースを「ＤＢ」と略記する。
【００４２】
まず、本発明に係る遊技用システムの概要について説明する。本発明に係る遊技用システム１は、図１に示すように、遊技機であるパチンコ機１０に対応して設けられた遊技用装置であるカードユニット２０と、該遊技用装置が設置される遊技場内に設けられる精算装置６０と、同遊技場内に設けられる遊技用管理装置であるシステムコントローラ５０を含むものである。またシステムコントローラ５０は、後述する精算カード５の発行及び管理を行うカード会社に設けられている管理サーバ９０と通信可能である。
【００４３】
カードユニット２０においては、図２及び図３に示すように、貨幣（紙幣２，硬貨３）を受け付けて、現金玉貸可能状態となり、該受け付けた貨幣の金額である入金金額を使用して遊技媒体であるパチンコ玉を貸与可能であると共に、該カードユニット２０で記憶されており、前記入金金額のうちの遊技媒体の貸与に使用されなかった入金残額を、精算カード５の記録情報から特定可能にして（ここでは入金ＩＤ，入金残額をカード残額として精算カード５に記録して）、遊技者に返却することが可能である。
【００４４】
また、カードユニット２０では、精算カード５の記録情報から特定されるカード残額が零でない精算カード５（以下「残額有りの精算カード５」という。）を受け付けて、精算カード玉貸可能状態となり、該カード残額を使用してパチンコ玉を貸与可能である。
【００４５】
精算装置６０においては、図６に示すように、精算カード５を受け付けて、該精算カード５の記録情報から特定される（ここでは該精算カード５に記録されている）カード残額に相当する金額の貨幣を払い出して遊技者に返却することが可能である。
【００４６】
システムコントローラ５０は、図１７，図１９，及び図２０に示すように、精算装置６０が精算カード５を受け付けたときに、該精算装置６０から精算カード５に記録されているカード残額を受信して、該カード残額と当該装置で管理している残額との照合等を行い、該照合等に基づいて精算を許諾する場合には、精算許諾情報を精算装置６０に送信する。これを受信した精算装置６０では、カード残額に相当する貨幣が返却される。
【００４７】
また、システムコントローラ５０は、図１１に示すように、カードユニット２０が残額有りの精算カード５を受け付けたときに、該カードユニット２０から精算カード５に記録されているカード残額を受信して、該カード残額と当該装置で管理している残額との照合を行い、照合ＯＫであれば精算カード貸与許諾情報をカードユニット２０に送信する。これを受信したカードユニット２０では、精算カード玉貸可能状態となる。
【００４８】
ここで、本発明は、図８（ａ）及び図１７に示すように、精算装置６０において精算された金額が予め定められた第１の所定の大きさ以上である回数がカードユニット２０毎に加算更新されてなる高額精算回数が高額精算回数基準値に達したカードユニット２０の装置ＩＤをシステムコントローラ５０のディスプレイ５４に表示する第１実施形態に係る遊技用システム１と、図１９に示すように、高額精算回数が高額精算回数基準値に達したカードユニット２０から排出された精算カード５による精算が行われようとする際に、システムコントローラ５０が精算許諾を行わないことにより該精算カード５による精算を禁止する第２実施形態に係る遊技用システム１と、図２０に示すように、システムコントローラ５０が、高額精算回数が高額精算回数基準値に達したカードユニット２０の装置ＩＤを精算装置６０に送信し、精算装置６０が、システムコントローラ５０から受信した装置ＩＤのカードユニット２０から排出された精算カード５による精算を行わないことにより該精算カード５による精算を禁止する第３実施形態に係る遊技用システム１とを含む。
【００４９】
以下では、まず、第１実施形態に係る遊技用システム１について説明し、次に、第２実施形態に係る遊技用システム１について第１実施形態と異なる点についてのみ説明し、最後に、第３実施形態に係る遊技用システム１について第２実施形態と異なる点についてのみ説明する。
【００５０】
［１．第１実施形態に係る遊技用システム１］
図１及び図２に示す遊技用システム１において、カードユニット２０は、ハブ（ＨＵＢ）３０，中継器４０，及び通信ケーブルを介して、システムコントローラ５０と双方向のデータ通信可能に接続されており、各接続機器にはそれぞれローカルＩＰアドレスが付与されてローカルエリアネットワーク（ＬＡＮ）が形成されている。また前記システムコントローラ５０と精算装置６０とは、個別の通信ケーブルを介して、比較的高速のデータ通信を実施可能に接続されている。また、前記システムコントローラ５０は、通信回線を介して、カード会社に設置された管理サーバ９０と双方向のデータ通信を実施できるように接続されていて、カード会社は、該管理サーバ９０にて、各遊技場の精算カード５による売上や、システムコントローラ５０及びカードユニット２０のエラー状況等を把握できるようになっている。本発明に係る遊技用システム１では、図２及び図３に示すように、紙幣２，硬貨３，及び精算カード５が使用される。
【００５１】
紙幣２は貨幣の一例であって、ここでは図３に示すように、1000円紙幣，2000円紙幣，5000円紙幣，及び10000円紙幣の４種類の紙幣である。また硬貨３も貨幣の一例であって、ここでは図３に示すように、100円硬貨，及び500円硬貨の２種類の硬貨である。
【００５２】
精算カード５は精算用記録媒体の一例であって、残有価価値の大きさ（入金残額）を特定するための残有価価値特定情報（入金ＩＤ）と当該精算カード５を排出した遊技用装置（カードユニット２０）を個々に特定するための装置特定情報（装置ＩＤを特定するための入金ＩＤ）とが少なくとも記録されるものである。本例における精算カード５には、該精算カード５を個々に識別可能な精算カードＩＤと、残有価価値特定情報であると共に、当該精算カード５を排出した遊技用装置を特定するための装置特定情報を兼ねる情報としての入金ＩＤと、残有価価値特定情報であると共に残有価価値の大きさである入金残額（ここではカード残額）と、が記録されている。
【００５３】
この精算カード５は、長方形状を呈するプラスチック製の薄板における所定の部位に、精算カードＩＤ，入金ＩＤ，及びカード残額等が記録される記録領域（図示外）が形成されてなるものであり、ここでは該記録領域として不揮発性のＥＥＰＲＯＭを備える非接触式の集積回路を搭載したＩＣカードである。この精算カード５は、カードユニット２０の精算カードストッカ２７ｂに収納されており、入金残額が残存している状態でカード返却ボタン１６が操作されることにより発行されて、カードユニット２０及び精算装置６０において使用される。
【００５４】
カードユニット２０は遊技用装置の一例であって、図２及び図３（ａ）に示すように、パチンコ機１０に対応して（ここではパチンコ機１０の左側に隣接して）設けられている。ここでパチンコ機１０は遊技機の一例であって、遊技場における遊技島（図示外）において機種等に従って所定の位置に配置され、遊技媒体であるパチンコ玉を遊技領域に打ち込むことにより遊技を行うものであり、ここでは対応するカードユニット２０と通信可能であり、該カードユニット２０との間でパチンコ玉の貸与に関する信号のやり取りが行われて玉貸処理が行われる、いわゆるＣＲ式のパチンコ機である。
【００５５】
このパチンコ機１０は、図３（ａ）に示すように、その前面に遊技領域，上皿，下皿，及び発射ハンドル等を備えると共に、残度数表示器１４，玉貸ボタン１５，及びカード返却ボタン１６を備え、図２に示すように、その内部に遊技制御基板１１，払出制御基板１２，及び玉払出装置１３等を備えており、これらの各構成要素は図２に示すように接続されている。なお、このパチンコ機１０は、各パチンコ機１０毎に割り振られた台番号により個々に識別可能である。
【００５６】
遊技制御基板１１は、パチンコ機１０における遊技状態を制御するものである。払出制御基板１２は、カードユニット２０の後述する玉貸通信部２１と通信可能に接続され、パチンコ機１０とカードユニット２０との間における通信を司るものである。これにより、玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及びカード返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。ここで残度数表示器１４，玉貸ボタン１５，及びカード返却ボタン１６は、パチンコ機１０の前面に配置されているものであるが、前記払出制御基板１２を介してカードユニット２０と通信可能に接続されているため、カードユニット２０に属するものである。
【００５７】
残度数表示器１４は、ユニット制御部２２のＲＡＭに記録された入金残額に相当する残度数，又はカードＲ／Ｗ２７にて受け付けている精算カード５に記録されたカード残額に相当する残度数を表示するための表示器である。ここで残度数は、入金残額やカード残額が所定の比率で変換されたもの（例えば１００円＝１度数）である。図２に示すように、残度数表示器１４に玉貸通信部２１から残度数を示す度数表示信号が入力されることにより、残度数が表示される。
【００５８】
玉貸ボタン１５は、ユニット制御部２２のＲＡＭに記録された入金残額，又はカードＲ／Ｗ２７にて受け付けている精算カード５に記録されているカード残額を使用するための玉貸操作を受け付けるボタンである。図２に示すように、玉貸ボタン１５が操作されたことにより、玉貸通信部２１に貸出入力信号が入力され、該入力の検出によってユニット制御部２２が玉貸ボタン１５が操作された旨を認識する。
【００５９】
カード返却ボタン１６はカードＲ／Ｗ２７により受け付けている精算カード５を排出するための排出操作を受け付けるものである。図２に示すように、カード返却ボタン１６が操作されたことにより、玉貸通信部２１に返却入力信号が入力され、該入力の検出によってユニット制御部２２がカード返却ボタン１６が操作された旨を認識し、カードＲ／Ｗ制御部２８によりカードＲ／Ｗ２７が受け付けている精算カード５の排出制御が行われ、該精算カード５がカード挿入口２７ａから排出されて遊技者に返却される。
【００６０】
カードユニット２０は、縦長の箱型の形状を呈するものであり、図３（ａ）に示すように、その前面に多機能ランプ２５，紙幣挿入口２３ａ，硬貨挿入口２４ａ，硬貨返却ボタン２４ｅ，硬貨返却口２４ｆ，カード受付可ランプ２６ａ，及びカード挿入口２７ａ等を備え、図２及び図３（ｂ）に示すように、その内部に玉貸通信部２１，ユニット制御部２２，紙幣識別機２３，硬貨識別機２４，カードＲ／Ｗ２７，精算カードストッカ２７ｂ，カードＲ／Ｗ制御部２８，及びシステムコントローラ用通信部２８ａ等を備えており、これらの各構成要素は図２に示すように接続されている。なお、各カードユニット２０は、装置ＩＤによって個々に識別可能とされている。
【００６１】
玉貸通信部２１は、前述の如くパチンコ機１０の払出制御基板１２と通信可能に接続されている。この玉貸通信部２１は、ユニット制御部２２のパチンコ機１０に対してのＩ／Ｏポートとして機能するものである。図２に示すように、この玉貸通信部２１には、払出制御基板１２からＥＸＳ信号，ＰＲＤＹ信号，前記貸出入力信号，及び前記返却入力信号が入力される。また、玉貸通信部２１から払出制御基板１２に対して、ＢＲＤＹ信号，ＢＲＱ信号，及び前記度数表示信号が出力される。なお、ＥＸＳ信号，ＰＲＤＹ信号，ＢＲＤＹ信号，ＢＲＱ信号はパチンコ玉の払出を行う際の制御信号であり、各々ＥＸＳ，ＰＲＤＹ，ＢＲＤＹ，ＢＲＱとも呼ぶ。
【００６２】
紙幣識別機２３は貨幣受付手段の一例であって、貨幣を受け付けるものであり、ここでは図３（ｂ）に示すように、ユニット制御部２２のＲＡＭで記憶されている入金残額が零の状態，及びカードＲ／Ｗ２７が精算カード５を受け付けていない状態で、紙幣挿入口２３ａから挿入され搬送されてきた紙幣２を受け付けて、該受け付けた紙幣２が前記４種類の紙幣のうちのいずれの紙幣であるかを識別する（いずれの紙幣でもなければ正規の紙幣ではないと識別する）識別機である。この識別により、受付けた紙幣が正規の紙幣２（1000円紙幣、2000円紙幣、5000円紙幣、10000円紙幣）であれば、識別結果（識別された紙幣２に応じた入金金額）をユニット制御部２２に出力する。なお識別が完了した正規の紙幣２は、紙幣通路２３ｂを通じてカードユニット２０の背面から外部に排出され、遊技島に設けられた紙幣搬送機構（図示外）により搬送されて、金庫（図示外）に回収される。なお、正規の紙幣ではないと識別した場合には、受け付けた紙幣２を紙幣挿入口２３ａから返却する。
【００６３】
硬貨識別機２４も貨幣受付手段の一例であって、貨幣を受け付けるものであり、ここでは図３（ｂ）に示すように、ユニット制御部２２のＲＡＭで記憶されている入金残額が零の状態，及びカードＲ／Ｗ２７が精算カード５を受け付けていない状態で、硬貨挿入口２４ａから投入され、硬貨通路２４ｂを通じて搬送された硬貨３を受け付けて、該受け付けた硬貨３が前記２種類の硬貨のうちのいずれの硬貨であるかを識別する（いずれの硬貨でもなければ正規の硬貨ではないと識別する）識別機である。この識別により、受付けた硬貨が正規の硬貨３（100円硬貨、500円硬貨）であれば、識別結果（識別された硬貨３に応じた入金金額）をユニット制御部２２に出力する。なお識別が完了した正規の硬貨３は、硬貨通路２４ｃを通じてカードユニット２０の背面から外部に排出され、遊技島に設けられた硬貨搬送機構（図示外）により搬送されて、金庫（図示外）に回収される。硬貨返却ボタン２４ｅは、硬貨通路２４ｂや硬貨識別機２４において詰まった硬貨３の返却操作を受け付けるためのボタンであり、遊技者により硬貨返却ボタン２４ｅが操作されると、該詰まった硬貨３が硬貨通路２４ｄを通じて硬貨返却口２４ｆに戻る。なお、正規の硬貨ではないと識別した場合には、受け付けた硬貨３を硬貨通路２４ｄを通じて硬貨返却口２４ｆから返却する。
【００６４】
ユニット制御部２２は、ＣＰＵ，ＲＡＭ，ＲＯＭ，ＥＥＰＲＯＭ等を備えており、ＲＯＭ（あるいはＥＥＰＲＯＭ）に記憶されている処理プログラムがＲＡＭを作業領域としてＣＰＵで実行されることにより、カードユニット２０に備えられる各構成要素の動作を制御して各種の処理を行うものである。
【００６５】
このユニット制御部２２のＲＡＭは、貨幣受付手段（紙幣識別機２３，硬貨識別機２４）により受け付けた貨幣（紙幣２，硬貨３）の金額に相当する有価価値の大きさである受付有価価値の大きさ（入金金額）を残有価価値の大きさ（入金残額）として記憶するものである。具体的には、紙幣識別機２３，硬貨識別機２４が紙幣２，硬貨３を受け付けて識別した際に、該識別された紙幣２，硬貨３に相当する金額（以下「入金金額」と呼ぶ）を入金残額（入金金額のうち使用されていない金額とする）として当該ユニット制御部２２のＲＡＭに記憶する処理を行う。
【００６６】
またユニット制御部２２は貨幣貸与処理手段の一例であって、貨幣受付手段により受け付けた貨幣の金額に相当する有価価値の大きさである受付有価価値の大きさ（入金金額）の範囲内における所定の大きさの有価価値に相当する遊技媒体（パチンコ玉）を貸与するための貸与処理（現金玉貸処理）を行うものである。
【００６７】
具体的には、現金玉貸可能状態において、玉貸ボタン１５が操作されて貸出入力信号が入力されたときに、ＲＡＭに記録された入金残額と予め設定された玉貸設定金額（例えば５００円）とを比較して、入金残額≧玉貸設定金額であれば該玉貸設定金額に相当する度数のパチンコ玉の払出を払出制御基板１２に対して指示し、払出制御基板１２が該指示された度数分のパチンコ玉の払出を玉払出装置１３により行う。一方、入金残額＜玉貸設定金額であれば該入金残額に相当する度数のパチンコ玉の払出を払出制御基板１２に対して指示し、払出制御基板１２が該指示された度数分のパチンコ玉の払出を玉払出装置１３により行う。
【００６８】
なお、貨幣貸与処理手段として機能するユニット制御部２２は、ユニット制御部２２のＲＡＭに入金金額が記憶された際に、該入金金額が予め定められた金額（ここでは１０００円）以下であれば、該入金金額（＝入金残額）に相当する度数のパチンコ玉の払出を払出制御基板１２に対して指示し、払出制御基板１２が該指示された度数分（入金金額分）のパチンコ玉の払出を玉払出装置１３により行う。以下、貨幣貸与処理手段による貸与処理を「現金玉貸処理」と呼ぶ。
【００６９】
またユニット制御部２２は、前記貨幣貸与処理手段（ユニット制御部２２）により貸与処理（現金玉貸処理）に使用される有価価値の大きさである貸与有価価値の大きさ（使用金額）をユニット制御部２２のＲＡＭで記憶されている残有価価値の大きさ（入金残額）から減算するものである。
【００７０】
具体的には、現金玉貸処理が行われるときに、入金残額≧玉貸設定金額であれば該玉貸設定金額を使用金額としてＲＡＭに記録されている入金残額から減算する処理を行い、入金残額＜玉貸設定金額であれば該入金残額を使用金額としてＲＡＭに記録された入金残額から減算する処理を行う。また、入金金額が予め定められた金額（ここでは１０００円）以下であれば、該入金金額に相当する度数の現金玉貸処理が行われるときに、該入金金額を使用金額としてＲＡＭに記録されている入金残額から減算する処理を行う（即ち入金残額が零になる）。
【００７１】
さらにユニット制御部２２は指定貨幣設定手段の一例であって、後述する受付金種特定情報送信手段（ユニット用通信部５１ａ）から送信されてきた金種特定情報から特定される金種の貨幣のみを前記貨幣受付手段（紙幣識別機２３，硬貨識別機２４）により受付可能とする設定を行うものである。具体的には、ユニット用通信部５１ａから送信されてきた金種特定情報から特定される金種のうち紙幣２に対応する金種（即ち1000円，2000円，5000円，10000円のいずれか又はこれらの組み合わせ）の貨幣を紙幣識別機２３により受付可能とし、同金種特定情報から特定される金種のうち硬貨３に対応する金種（即ち100円，500円のいずれか又は両方）の貨幣を紙幣識別機２３により受付可能とする。
【００７２】
このユニット制御部２２の他の機能については後述する。
【００７３】
多機能ランプ２５は、カードユニット２０の動作状態を報知するものであり、３原色であるＲＧＢ光の各色の発光が可能なＬＥＤモジュールを内在しており、これらＲＧＢ光の発光を制御することで、発光色を可変できるようになっている。この発光制御はユニット制御部２２が備えるＬＥＤ制御部により行われる。一例として、多機能ランプ２５により、当該カードユニット２０とシステムコントローラ５０との間における通信状態等を報知する。
【００７４】
カード受付可ランプ２６は、残額有りの精算カード５の受付が可能である旨を点灯状態となることにより報知する。
【００７５】
カードＲ／Ｗ２７は、精算用記録媒体（精算カード５）を受け付けるものである。具体的には、精算カードストッカ２７ｂから搬送されて受け付けた精算カード５，又は当該カードＲ／Ｗ２７に留保されている精算カード５に対して入金ＩＤ及びカード残額を記録する（書き込む）と共に、カード挿入口２７ａから精算カード５を受け付けて、該精算カード５に記録されている精算カードＩＤ，入金ＩＤ，及びカード残額を読み取るものである。このカードＲ／Ｗ２７は、前記ＩＣカードである精算カード５に対応したＩＣカードＲ／Ｗを備えている。
【００７６】
精算カードストッカ２７ｂは、カードＲ／Ｗ２７の背面側に設けられ、入金ＩＤ及びカード残額が記録されていない精算カード５（いわゆる生カード）を所定数（例えば１０枚）迄ストックするものであり、カードＲ／Ｗ２７と連接され、カードＲ／Ｗ２７から搬送されてきた精算カード５をストックするものである。また、カードＲ／Ｗ２７がカード残額を記録するにあたり、精算カードストッカ２７ｂにストックされている精算カード５がカードＲ／Ｗ２７に搬送される。
【００７７】
カードＲ／Ｗ制御部２８は、カードＲ／Ｗ２７が受け付けた精算カード５とのデータ送受を行う通信部や、カードＲ／Ｗ２７の制御を行うコントローラ等を備えている。このカードＲ／Ｗ制御部２８は、図２に示すように、ユニット制御部２２に接続されており、該ユニット制御部２２との各種データの送受が実施可能とされている。
【００７８】
またカードＲ／Ｗ制御部２８は、システムコントローラ用通信部２８ａを備えている。このシステムコントローラ用通信部２８ａは、ハブ３０，中継器４０，及び通信ケーブルを介して、システムコントローラ５０のユニット用通信部５１ａに接続され、カードＲ／Ｗ制御部２８とシステムコントローラ５０とのデータ通信を実施可能とされている。
【００７９】
システムコントローラ用通信部２８ａは、貨幣受付手段（紙幣識別器２３，硬貨識別器２４）により受け付けた貨幣（紙幣２，硬貨３）の金額に相当する有価価値の大きさである受付有価価値の大きさ（入金金額）を外部に送信するものである。具体的には紙幣識別機２３，硬貨識別機２４により識別された入金金額をユニット制御部２２を介して受信したカードＲ／Ｗ制御部２８が、該入金金額（＝ユニット制御部２２のＲＡＭに記憶されている入金残額）を、当該カードユニット２０の装置ＩＤと共に、システムコントローラ用通信部２８ａからシステムコントローラ５０に対して送信する。
【００８０】
またシステムコントローラ用通信部２８ａは、貸与有価価値の大きさ（現金玉貸処理における使用金額）を残有価価値特定情報（入金ＩＤ）と共に遊技用管理装置（システムコントローラ５０）に対して送信するものである。具体的には、現金玉貸処理が行われたときに、ユニット制御部２２から使用金額，入金ＩＤを受信したカードＲ／Ｗ制御部２８が、該使用金額，該入金ＩＤを、当該カードユニット２０の装置ＩＤと共に、システムコントローラ用通信部２８ａからシステムコントローラ５０に対して送信する。本例では、後述する精算カード玉貸処理が行われたときにも、システムコントローラ用通信部２８ａが、使用金額と入金ＩＤ（精算カード５に記録されている）を、当該カードユニット２０の装置ＩＤと共に、システムコントローラ５０に対して送信する。
【００８１】
さらにシステムコントローラ用通信部２８ａは、カードＲ／Ｗ２７により精算カード５を受け付けたときに、残有価価値特定情報（入金ＩＤ）を含む貸与許諾要求を遊技用管理装置（システムコントローラ５０）に対して送信するものである。具体的には、カードＲ／Ｗ２７が、残額有りの精算カード５を受け付けて精算カードＩＤ，入金ＩＤ，カード残額を読み取ると、カードＲ／Ｗ制御部２８が、該読み取った精算カードＩＤ，入金ＩＤ，カード残額を含む貸与許諾要求を、当該カードユニット２０の装置ＩＤと共に、システムコントローラ用通信部２８ａからシステムコントローラ５０に対して送信する。
【００８２】
カードＲ／Ｗ制御部２８は精算用記録媒体処理手段の一例であって、受付有価価値の大きさ（入金金額）から前記貨幣貸与処理手段により貸与処理に使用された有価価値の大きさである貸与有価価値の大きさ（使用金額）を減算した残有価価値の大きさ（入金残額）を特定するための残有価価値特定情報（入金ＩＤ）と当該遊技用装置（カードユニット２０）を特定するための装置特定情報（装置ＩＤを特定するための入金ＩＤ）とが少なくとも記録された精算用記録媒体（精算カード５）を排出する処理を行うものである
【００８３】
ここで精算用記録媒体処理手段であるカードＲ／Ｗ２８は、残有価価値特定情報と装置特定情報とを兼ねる情報としての残有価価値特定情報（入金ＩＤ）が少なくとも記録された精算用記録媒体（精算カード５）を排出する処理を行うものである。
【００８４】
具体的には、精算カード５を個々に識別可能な精算カードＩＤと、残有価価値特定情報であると共に装置特定情報である入金ＩＤと、残有価価値の大きさ（カード残額）とが記録された精算カード５を排出する処理を行う。即ち、入金残額が零でない状態でカード返却ボタン１６が操作されると、ユニット制御部２２のＲＡＭに記憶されている入金ＩＤ及び入金残額が精算カード５に記録されて排出される。
【００８５】
次に前述したユニット制御部２２の他の機能について説明する。
【００８６】
ユニット制御部２２は、カードＲ／Ｗ２７により受け付けた精算用記録媒体（精算カード５）の記録情報から特定される有価価値の大きさ（カード残額）の範囲内における所定の大きさの有価価値に相当する遊技媒体（パチンコ玉）を貸与するための貸与処理（精算カード玉貸処理）を行うものであり、ここでは後述するユニット用通信部５１ａから精算カード貸与許諾情報が送信されてきたことを条件として、カードＲ／Ｗ２７により受け付けた精算カード５に記録されているカード残額の範囲内における所定の大きさの有価価値に相当する遊技媒体を貸与するための貸与処理を行うものである。
【００８７】
具体的には、精算カード貸与許諾情報を受信したことにより精算カード玉貸可能状態となり、玉貸ボタン１５が操作されて貸出入力信号が入力されたときに、精算カード５に記録されたカード残額と予め設定された玉貸設定金額（例えば５００円）とを比較して、カード残額≧玉貸設定金額であれば該玉貸設定金額に相当する度数のパチンコ玉の払出を払出制御基板１２に対して指示し、払出制御基板１２が指示された度数分のパチンコ玉の払出を玉払出装置１３により行う。一方、カード残額＜玉貸設定金額であれば該カード残額に相当する度数のパチンコ玉の払出を払出制御基板１２に対して指示し、払出制御基板１２が該指示された度数分のパチンコ玉の払出を玉払出装置１３により行う。以下、精算用記録媒体貸与処理手段による貸与処理を「精算カード玉貸処理」と呼ぶ。
【００８８】
またユニット制御部２２は、前記精算カード玉貸処理に使用される貸与有価価値の大きさ（使用金額）を精算用記録媒体受付手段（カードＲ／Ｗ２７）により受け付けた精算用記録媒体（精算カード５）の記録情報から特定される有価価値の大きさ（カード残額）から減算するための減算処理を行うものであり、ここでは該貸与有価価値の大きさを精算用記録媒体受付手段により受け付けた精算用記録媒体に記録されている残有価価値の大きさ（カード残額）から減算する減算処理を行うものである。
【００８９】
具体的には、精算カード玉貸処理が行われるときに、カード残額≧玉貸設定金額であれば該玉貸設定金額を使用金額として精算カード５に記録されているカード残額から減算する処理を行い、カード残額＜玉貸設定金額であれば該カード残額を使用金額として精算カード５に記録されたカード残額から減算する処理を行う。
【００９０】
ここで、現金玉貸処理，精算カード玉貸処理等の貸与処理における制御状況を図４に基づき説明する。前記パチンコ機１０の払出制御基板１２は、前記カードユニット２０のユニット制御部２２（即ち玉貸通信部２１）と接続されて通信が可能な状態であるとスタンバイ状態となり、前記ＰＲＤＹをＬｏｗとする（Ｓ１）。
【００９１】
このようにＰＲＤＹがＬｏｗである状態において、ユニット制御部２２がパチンコ玉の払出を払出制御基板１２に指示するにあたり、ＢＲＤＹをＬｏｗとし（Ｓ２）、この状態において、更にＢＲＱをＬｏｗとする（Ｓ３）。
【００９２】
次いで、前記払出制御基板１２は、前記ＢＲＤＹのＬｏｗを検出した状態においてＢＲＱのＬｏｗを検出すると、パチンコ玉の払出が可能であるか確認し、可能である場合には、前記ＥＸＳをＬｏｗとする（Ｓ４）。
【００９３】
該ＥＸＳのＬｏｗを検出したユニット制御部２２は、前記ＢＲＱをＨｉｇｈとし（Ｓ５）、該ＢＲＱのＨｉｇｈを検出した払出制御基板１２は、玉払出装置１３に玉払出信号を出力し、これに基づき１度数に該当するパチンコ玉数（例えば消費税を考慮しないのであれば２５個、消費税を考慮するのであれば消費税率に応じて２４個，２３個…等の、具体的な玉数であり、予めシステムコントローラ５０等により設定され、カードユニット２０に配信されている）の払出が実施されるとともに、該払出の終了に基づき、前記ＥＸＳをＨｉｇｈとする（Ｓ６）。
【００９４】
該ＥＸＳのＨｉｇｈを検出したユニット制御部２２は、入金残額又はカード残額から１度数に相当する金額を減算するとともに、前記残度数表示器１４に表示されている残度数から１度を減算して表示更新する。
【００９５】
これら（Ｓ３）〜（Ｓ６）の信号制御並びに減算更新は、ユニット制御２２から払出制御基板１２に対して指示される度数分繰返し実施され、これら制御が終了した後、ＢＲＤＹをＨｉｇｈとして（Ｓ７）、貸与処理を終了する。
【００９６】
このようにカードユニット２０のユニット制御部２２から出力されるＢＲＱのＨｉｇｈの検出回数に基づき、前記払出制御基板１２は指示された度数に該当する数量のパチンコ玉の払出を実施するようになっている。
【００９７】
尚、本実施例においては、前記Ｓ６が終了した段階で１度数分の金額を減算するようにしているが、前記Ｓ３〜Ｓ６の処理をユニット制御２２の指示度数分（例えば５度分の貸出であれば５回）繰返し実施した後、すなわち、貸出度数分のパチンコ玉が払い出された後、該貸し出された度数（例えば５度分の貸出であれば５度）分の金額を減算するようにしても良い。残度数の表示更新についても同様である。
【００９８】
パチンコ機１０において、玉払出装置１３から払い出されたパチンコ玉は、上皿に供給され、発射ハンドルの操作により遊技領域の内部に打ち込まれて、遊技が行われる。そして該打ち込まれたパチンコ玉が、遊技領域に形成された入賞口に入賞すると、払出制御基板１２から発せられる払出信号に基づいて、賞球として玉払出装置１３からパチンコ玉が払い出されて、上皿又は下皿に供給される。
【００９９】
次に、システムコントローラ５０について説明する。システムコントローラ５０は遊技用管理装置の一例であって、遊技場内の所定箇所（例えば管理事務所等）に設けられるものであり、図２に示すように接続されるユニット用通信部５１ａ，場外通信部５１ｂ，精算装置用通信部５１ｃ，制御部５２，ハードディスク５３，ディスプレイ５４，及び入力装置５５等を備えている。
【０１００】
ユニット用通信部５１ａは、前述の如くカードユニット２０のシステムコントローラ用通信部２８ａと通信可能に接続されており、システムコントローラ５０とカードユニット２０との間における通信を司るものである。
【０１０１】
このユニット用通信部５１ａは受付金種特定情報送信手段の一例であって、後述する金種指定受付手段（ディスプレイ５４，入力装置５５）により指定を受け付けた装置識別情報（装置ＩＤ）の遊技用装置（カードユニット２０）に対して当該金種指定受付手段により指定を受け付けた貨幣の金種を特定可能な金種特定情報を送信するものである。具体的には、後述する図８（ｂ）に示す受付可能貨幣指定画面にて指定された装置ＩＤのカードユニット２０に対して，同画面にて指定された受付可能貨幣を特定可能な金種特定情報を送信するものである。
【０１０２】
またユニット用通信部５１ａは、後述する制御部５２により生成された残有価価値特定情報（入金ＩＤ）を前記受付有価価値の大きさ（入金金額）の送信元である遊技用装置（カードユニット２０）に対して送信するものである。即ち、入金金額の受信に基づき制御部５２により生成された入金ＩＤを、該入金金額の送信元であるカードユニット２０に対して送信する。
【０１０３】
またユニット用通信部５１ａは、後述する制御部５２により、精算カード５のカード残額が後述する精算カードＤＢで記憶しているカード残額以下であると判定されたことを条件として、前記貸与を許諾する旨を示す精算カード貸与許諾情報を前記貸与許諾要求の送信元であるカードユニット２０に対して送信するものである。即ち、後述する制御部５２により、受信したカード残額≦受信した入金ＩＤに対応付けて精算カードＤＢに記憶しているカード残額、と判定されたことを条件として、精算カード貸与許諾情報を前記貸与許諾要求の送信元のカードユニット２０に送信する。
【０１０４】
場外通信部５１ｂは、電話回線を通じて遊技場外の通信機器とのデータ通信を可能とするためのデジタルサービスユニット（ＤＳＵ）等を備え、カード会社に設けられた管理サーバ９０と通信可能に接続されており、システムコントローラ５０と管理サーバ９０との間における通信を司るものである。
【０１０５】
精算装置用通信部５１ｃは、精算装置６０の通信部６１と通信可能に接続されており、システムコントローラ５０と精算装置６０との間における通信を司るものである。
【０１０６】
この精算装置用通信部５１ｃは、後述する制御部５２により、精算装置６０から送信されてきた精算許諾要求に含まれる残有価価値の大きさ（カード残額）が精算カードＤＢで記憶されているカード残額以下であると判定されたことに基づいて、前記精算を許諾する旨を示す精算許諾情報を精算許諾要求の送信元である精算装置６０に対して送信するものである。
【０１０７】
本第１実施形態においては、受信したカード残額≦受信した入金ＩＤに対応付けて精算カードＤＢに記憶している残額、と判定されたことを条件として、精算許諾情報を精算装置６０に送信する。
【０１０８】
記憶装置であるハードディスク５３は図５に示す各種のＤＢを記憶している。
【０１０９】
図５（ａ）に示す入金情報ＤＢには、入金に際して後述する制御部５２により生成された残有価価値特定情報である「入金ＩＤ」と、該入金ＩＤにより特定される残有価価値の大きさである「残額」が記憶されている。なお、この入金情報ＤＢにおける「残額」が更新されると、該「残額」に対応する入金情報ＤＢの「入金ＩＤ」が、以下の精算カードＤＢ，カードユニットＤＢに記憶されている入金ＩＤと一致するか否かの判定が実施され、一致する場合には、該記憶されている入金ＩＤに対応する「カード残額」又は「残額」も入金情報ＤＢにおける残額に更新される。即ち精算カードＤＢ，カードユニットＤＢにおけるカード残額又は残額は、入金情報ＤＢの残額の記憶，更新に伴い自動的に記憶，更新されるようになっている。
【０１１０】
この入金情報ＤＢは、システムコントローラ用通信部２８ａから送信されてきた受付有価価値の大きさ（入金金額）を残有価価値の大きさ（残額）として該残有価価値の大きさを特定するための残有価価値特定情報（入金ＩＤ）と対応付けて記憶するものである。具体的には、図５（ａ）に示す入金情報ＤＢにおいて、受信した入金金額を「残額」として記憶すると共に、該残額を特定するための入金ＩＤをこれに対応付けて記憶する。
【０１１１】
即ち、カードユニット２０から入金金額，装置ＩＤが送信されてきた際に、制御部５２により入金ＩＤが生成され、該生成された入金ＩＤと、前記入金金額が対応付けられて入金情報ＤＢに記憶される。
【０１１２】
図５（ｂ）に示す精算カードＤＢには、精算カード５を個々に識別可能な「精算カードＩＤ」に対応付けて、該精算カード５に記録された「入金ＩＤ」と、該入金ＩＤに対応付けて入金情報ＤＢに記憶されている残額である「カード残額」と、該精算カードＩＤが記録された精算カード５を排出したカードユニット２０の「装置ＩＤ」が記憶されている。
【０１１３】
この精算カードＤＢは管理装置記憶手段の一例であって、前記残有価価値特定情報（入金ＩＤ）と対応付けて、当該残有価価値特定情報から特定される残有価価値の大きさ（カード残額）と、当該残有価価値特定情報が記録された精算用記録媒体（精算カード５）を前記精算用記録媒体処理手段（カードＲ／Ｗ制御部２８）により排出した遊技用装置（カードユニット２０）を個々に識別可能な装置識別情報（装置ＩＤ）とを記憶するものである。
【０１１４】
具体的には、カードユニット２０への入金に際して、後述する図１０に示すように、入金金額と当該カードユニット２０の装置ＩＤがシステムコントローラ５０に送信され、システムコントローラ５０にて、後述する制御部５２により受信した入金金額についての入金ＩＤが生成される。ここで生成された入金ＩＤが前記入金金額と共に受信した装置ＩＤに対応付けてカードユニットＤＢに記憶される。この記憶処理によって、入金ＩＤが、カードユニット２０を個々に識別可能な装置識別情報である装置ＩＤと対応付けられるので、該記憶処理後は、入金ＩＤから装置ＩＤを特定可能となり、入金ＩＤがカードユニット２０を特定するための装置特定情報として作用する。
【０１１５】
さらに、精算カード５がカードユニット２０から排出されるにあたり、該精算カード５の精算カードＩＤ，該精算カード５に記録される入金ＩＤ，カード残額（＝ユニット制御部２２のＲＡＭに記憶されている入金残額），及び当該カードユニット２０の装置ＩＤがシステムコントローラ用通信部５１ａからシステムコントローラ５０に送信される。これを受信したシステムコントローラ５０においては、受信した精算カードＩＤに対応付けて、同受信した入金ＩＤ，同受信したカード残額，同受信した装置ＩＤを精算カードＤＢに記憶する。この記憶処理によって、入金ＩＤと共に精算カードＩＤも、装置識別情報である装置ＩＤと対応付けられるので、該記憶処理後は、入金ＩＤと共に、精算カードＩＤもカードユニット２０を特定するための装置特定情報として作用する。
【０１１６】
図５（ｃ）に示すカードユニットＤＢには、カードユニット２０を個々に識別可能な「装置ＩＤ」に対応付けて、該装置ＩＤのカードユニット２０に対応して設けられるパチンコ機１０を識別可能な「台番号」と、該台番号のパチンコ機１０の機種を識別可能な「機種名」と、該台番号のパチンコ機１０が第１種（いわゆるデジパチ），第２種（いわゆる羽根モノ），第３種（いわゆる権利モノ）のいずれの種別に属するかを識別可能な「種別」と、該装置ＩＤのカードユニット２０が受け付けている精算カード５から読み取られた「精算カードＩＤ」と、該カードユニット２０への入金の際に生成された入金ＩＤ，又は前記精算カード５から読み取られた入金ＩＤである「入金ＩＤ」と、該入金ＩＤに対応付けて入金情報ＤＢに記憶されている残額である「残額」と、該装置ＩＤのカードユニット２０に対して設定された「高額精算回数基準値」と、該装置ＩＤのカードユニット２０から排出された精算カード５による「高額精算回数」と、該装置ＩＤのカードユニット２０にて受付可能な貨幣である「受付可能貨幣」と、が記憶されている。
【０１１７】
なお、システムコントローラ５０側では、このカードユニットＤＢの各装置ＩＤについて、精算カードＩＤが記憶されている場合には、精算カード５を使用した遊技が行われている旨を特定でき、精算カードＩＤが記憶されておらず入金ＩＤが記憶されている場合には、現金により遊技が行われている旨を特定できる。
【０１１８】
ここで、本第１実施形態において、前記「受付可能貨幣」は、初期状態（デフォルト状態）では、100，500，1000，2000，5000，10000（各々、100円，500円，1000円，2000円，5000円，10000円を示す）の全貨幣であり、後述する図８（ｂ）に示す受付可能貨幣指定画面にて装置ＩＤ，受付可能貨幣が指定されたときには、該指定された装置ＩＤの「受付可能貨幣」が該指定された受付可能貨幣となる。
【０１１９】
制御部５２は、ＣＰＵ，ＲＡＭ，ＲＯＭ等を備えており、ハードディスク５３又はＲＯＭに記憶されている処理プログラムがＲＡＭを作業領域としてＣＰＵで実行されることにより、システムコントローラ５０に備えられる各構成要素の動作を制御して各種の処理を行うものである。
【０１２０】
この制御部５２は、システムコントローラ用通信部２８ａから受付有価価値の大きさ（入金金額）が送信されてきたときに、残有価価値特定情報（入金ＩＤ）を生成するものである。具体的には、カードユニット２０から入金金額，装置ＩＤを受信して残有価価値特定情報である入金ＩＤを生成する。
【０１２１】
また制御部５２は、システムコントローラ用通信部２８ａから送信されてきた貸与許諾要求に含まれる残有価価値の大きさ（カード残額）が、該送信されてきた貸与許諾要求に含まれる残有価価値特定情報（入金ＩＤ）と対応付けて前記精算カードＤＢで記憶されているカード残額以下であるか否かを判定するものである。具体的には、カードユニット２０から送信されてきた精算カードＩＤ，入金ＩＤ，及びカード残額を含む貸与許諾要求，並びに装置ＩＤを受信したときに、該受信したカード残額が、該受信した入金ＩＤに対応付けて精算カードＤＢに記憶されている残額以下であるか否かを判定するものである。
【０１２２】
また制御部５２は、システムコントローラ用通信部２８ａから送信されてきた貸与有価価値の大きさ（使用金額）を、該貸与有価価値の大きさと共に送信されてきた残有価価値特定情報（入金ＩＤ）と対応付けて入金情報ＤＢで記憶されている残有価価値の大きさ（残額）から減算するものである。具体的には、システムコントローラ用通信部２８ａから入金ＩＤ，使用金額，装置ＩＤを受信したときに、該受信した入金ＩＤに対応付けて入金情報ＤＢに記憶されている残額から受信した使用金額を減算する処理を行う。
【０１２３】
また制御部５２は、精算装置６０から送信されてきた精算許諾要求に含まれる残有価価値の大きさ（入金残額）が、該送信されてきた精算許諾要求に含まれる残有価価値特定情報（入金ＩＤ）と対応付けて精算カードＤＢで記憶されている残有価価値の大きさ（カード残額）以下であるか否かを判定するものである。具体的には、精算装置６０から送信されてきた精算許諾要求（入金ＩＤ，カード残額を含む）を受信した際に、該精算許諾要求に含まれるカード残額が、同精算許諾要求に含まれる入金ＩＤに対応付けて精算カードＤＢに記憶されているカード残額以下（受信したカード残額≦受信した入金ＩＤに対応付けて精算カードＤＢで記憶されているカード残額）であるか否かを判定する。
【０１２４】
本第１実施形態においては、精算許諾要求（入金ＩＤ，カード残額を含む）を受信した際に、該精算許諾要求に含まれるカード残額が、同精算許諾要求に含まれる入金ＩＤに対応付けて精算カードＤＢに記憶されているカード残額以下（受信したカード残額≦受信した入金ＩＤに対応付けて精算カードＤＢで記憶されているカード残額）であると制御部５２により判定されると、前記ユニット用通信部５１ａから、精算を許諾する旨を示す精算許諾情報が前記精算許諾要求の送信元である精算装置６０に対して送信される。
【０１２５】
また制御部５２は高額精算回数加算更新手段の一例であって、後述する記録情報送信手段（通信部６１）から送信された残有価価値特定情報（入金ＩＤ）から特定される残有価価値の大きさ（カード残額）が予め定められた第１の所定の大きさ（高額精算基準金額）以上であることを条件として、該記録情報送信手段から送信された装置特定情報（入金ＩＤ）から特定される遊技用装置（入金ＩＤから特定される装置ＩＤのカードユニット２０）に対応する高額精算回数を加算更新するものである。
【０１２６】
ここで、高額精算回数加算更新手段である制御部５２は、後述する記録情報送信手段（通信部６１）から送信された残有価価値特定情報（入金ＩＤ）と対応付けて前記管理装置記憶手段（精算カードＤＢ）で記憶されている残有価価値の大きさ（カード残額）が予め定められた第１の所定の大きさ（高額精算基準金額）以上であることを条件として、当該残有価価値特定情報と対応付けて前記管理装置記憶手段で記憶されている装置識別情報（装置ＩＤ）の遊技用装置（カードユニット２０）に対応する高額精算回数を加算更新する。
【０１２７】
具体的には、精算装置６０にて精算が終了した際に送信される精算完了通知を受信したときに、該精算完了通知に含まれる入金ＩＤに対応付けて精算カードＤＢで記憶されている金額（即ち精算された金額）を特定し、該特定された金額が後述する図７の高額精算回数基準値設定画面にて設定される高額精算基準金額以上であるか否かを判定し、高額精算基準金額以上であると判定されたときには、該入金ＩＤに対応付けて精算カードＤＢで記憶されている装置ＩＤを特定し、カードユニットＤＢにおいて、該特定した装置ＩＤに対応する高額精算回数に１を加算して更新する処理を行う。
【０１２８】
ディスプレイ５４は、各種の情報を表示するための表示デバイスであり、例えば液晶ディスプレイである。
【０１２９】
このディスプレイ５４は報知手段の一例であって、前記高額精算回数加算更新手段（制御部５２）により加算更新された所定期間（集計期間）内における高額精算回数が予め定められた所定回数（高額精算回数基準値）に達した遊技用装置（カードユニット２０）を特定可能な態様で報知するものである。
【０１３０】
具体的には、図８（ａ）に示すように、報知画面によって高額精算回数が高額精算回数基準値に達したカードユニット２０の装置ＩＤがディスプレイ５４により表示される。この報知画面においては、前記装置ＩＤと共に、該装置ＩＤのカードユニット２０から排出された精算カード５による高額精算回数と、該装置ＩＤのカードユニット２０にて受付可能な金種の貨幣も併せて表示される。
【０１３１】
入力装置５５はシステムコントローラ５０に各種の情報を入力するためのデバイスであり、例えばキーボードやマウスである。
【０１３２】
ここで、上記ディスプレイ５４及び入力装置５５は高額精算回数設定手段の一例であって、遊技用装置（カードユニット２０）毎に前記所定回数（高額精算回数基準値）を設定変更するものである。この設定変更の方法について図７を参照して説明する。
【０１３３】
システムコントローラ５０のディスプレイ５４には、図７（ａ）に示す高額精算回数基準値設定画面が表示される。この画面は、制御部５２により高額精算回数基準値設定プログラムが実行されることで表示される。この画面の上部には、高額精算回数の加算更新を行う集計期間（前記所定期間に相当）を設定するための入力欄と、ラジオボタンが設けられており、各ラジオボタンは、各々「時間」，「日」，「週」単位に対応している。該ラジオボタンにより所望の単位を選択し、「集計期間」と表示される右側の入力欄に該ラジオボタンにより選択された単位に基づく所望の数値を入力すると、画面下部の「設定ボタン」が選択されることで、入力欄に入力された数値×ラジオボタンにより選択された単位、の期間が集計期間として設定され、ハードディスク５３（又はＥＥＰＲＯＭ）に記憶される。
【０１３４】
また集計期間の入力欄の下方には、高額精算基準金額（前記第１の所定の大きさに相当）を設定するための入力欄が設けられている。「高額精算基準金額」と表示される右側の入力欄に所望の金額を入力すると、画面下部の「設定ボタン」が選択されることで、入力欄に入力された金額が高額精算基準金額として設定され、ハードディスク５３（又はＥＥＰＲＯＭ）に記憶される。
【０１３５】
さらに高額精算回数基準値の入力欄の下方には、カードユニットＤＢに記憶されている「機種名」が表示され、該「機種名」に対応付けてカードユニット２０に記憶されている「種別」と、該「機種名」のパチンコ機１０に対応する「高額精算回数基準値」（前記所定回数に相当）を設定するための入力欄が設けられている。即ち、システムコントローラ５０の管理者は、機種名，及び種別を参照しつつ該機種名，種別のパチンコ機１０に対応して設けられるカードユニット２０から排出された精算カード５による高額精算回数基準値を入力することができる。この「高額精算回数基準値」の入力欄に所望の回数を入力すると、画面下部の「設定ボタン」が選択されることで、入力欄に入力された回数が、該入力欄に対応して表示されている「機種名」に対応付けてカードユニットＤＢに「高額精算回数基準値」として記憶される。この際、カードユニットＤＢにおいて、前記「機種名」に対応する「装置ＩＤ」が全て特定され、該特定された「装置ＩＤ」各々に対応付けて、前記入力された回数が「高額精算回数基準値」として記憶される。
【０１３６】
なお、図７（ａ）に表示されている機種名にマウスのカーソルを合わせて選択すると、図７（ｂ）に示すように、該選択された機種名と対応付けてカードユニット２０に記憶されている装置ＩＤが表示され、各装置ＩＤに対応する高額精算回数基準値を設定するための入力欄が表示される。この「高額精算回数基準値」の入力欄に所望の回数を入力すると、画面下部の「設定」ボタンが選択されることで、入力欄に入力された回数が、該入力欄に対応して表示されている「装置ＩＤ」に対応付けてカードユニットＤＢに「高額精算回数基準値」として記憶される。
【０１３７】
このように、高額精算回数設定手段であるディスプレイ５４，入力装置５５によりカードユニット２０毎に所定回数を設定変更するので、両替機設置の有無や、カードユニット２０に対応するパチンコ機１０の種別やスペックに応じて適切な回数を設定することができる。例えば、高額貨幣を低額貨幣に両替する両替機が設置されていない遊技場においては、自ずと高額紙幣の使用頻度が高くなり、、比較的高額のカード残額が記録された精算カード５が発行されることが多くなることから、高額精算回数基準値を高めに設定するのが適切である。また種別が第２種のパチンコ機１０では、通常、使用金額が第１種や第３種に比して低額であるため、比較的高額のカード残額が記録された精算カード５が発行されることが多くなることから、第２種のパチンコ機１０に対応するカードユニット２０については、高額精算回数基準値を第１種，第３種のパチンコ機１０に対応するカードユニット２０に比して高めに設定するのが適切である。
【０１３８】
なお、図７（ａ），（ｂ）に示す高額精算回数基準値設定画面において、「キャンセル」ボタンが選択されると、今回入力，選択された内容が反映されず、前回「設定」ボタンが選択された際の設定が継続する。
【０１３９】
また、ディスプレイ５４及び入力装置５５は金種指定受付手段の一例であって、前記装置識別情報（装置ＩＤ）及び該装置識別情報の遊技用装置（カードユニット２０）にて受付可能な貨幣（紙幣２，硬貨３）の金種の指定を受け付ける（）ものである。この設定変更の方法について図８を参照して説明する。
【０１４０】
図８（ａ）に示す報知画面において、高額精算回数が高額精算回数基準値に達しているカードユニット２０の装置ＩＤが報知されている状態で、表示されている装置ＩＤにマウスのカーソルを合わせて選択すると、図８（ｂ）に示すように該選択された装置ＩＤのカードユニット２０にて受付可能な貨幣を指定するための受付可能貨幣設定画面が表示される。この画面では各金種の貨幣に対応するチェックボックスが設けられ、選択された装置ＩＤに対応付けてカードユニットＤＢで記憶されている受付可能貨幣がチェックされた状態となっている。ここで、システムコントローラ５０の管理者が、チェックボックスにより当該装置ＩＤのカードユニット２０にて受付可能な金種をチェックして、「設定」ボタンをクリックすることにより、該チェックされた金種を特定可能な金種特定情報がユニット用通信部５１ａから当該装置ＩＤのカードユニット２０に送信され、指定貨幣設定手段であるユニット制御部２２により、受信した金種特定情報から特定される金種の貨幣のみを貨幣受付手段である紙幣識別機２３及び／又は硬貨識別機２４により受付可能とする。
【０１４１】
このように、高額精算回数が高額精算回数基準値に達しており、偽造貨幣が使用されているおそれのあるカードユニット２０が特定されたときに、紙幣識別機２３等の交換や調整等の措置をすぐには実施することができない場合であっても、受付可能な金種を限定することで偽造貨幣の使用を防止することができる。特に偽造貨幣は通常高額紙幣であるため、高額紙幣以外の貨幣を受付可能とすることで、偽造貨幣の使用による遊技場の損失を極力防止することができる。一方で、受付可能な貨幣により遊技が可能であるのでパチンコ機１０の稼働率の低下を極力防止することができる。
【０１４２】
なお、上記の例ではカードユニット２０の装置ＩＤが報知されている状態で、該報知されている装置ＩＤのカードユニット２０に対して受付可能な貨幣を設定する例について説明したが、これに限らず、任意のカードユニット２０に対して受付可能な貨幣を設定するようにしても良い。一例として、カードユニット２０ＤＢに記憶されている装置ＩＤを全てディスプレイ５４に表示して、各装置ＩＤについて、それぞれ受付可能な貨幣を設定するようにしても良い。
【０１４３】
次に精算装置６０について説明する。この精算装置６０は、遊技用管理装置（システムコントローラ５０）と通信可能であり、前記精算用記録媒体（精算カード５）を受け付けて、該受け付けた精算用記録媒体に記録されている残有価価値特定情報（入金ＩＤ）から特定される残有価価値の大きさ（カード残額）に相当する金額の貨幣を返却して精算するものであり、ここでは精算装置用通信部５１ｃから精算許諾情報が送信されてきたことを条件として、前記受け付けた精算用記録媒体（精算カード５）に記録されている残有価価値の大きさ（カード残額）に相当する金額の貨幣を返却して精算する。
【０１４４】
この精算装置６０は、遊技場内の所定箇所（例えば遊技島の端部や景品交換カウンタの近傍等）に設けられ、図６（ａ）に示すように、キオスク端末型の形状を呈するものであり、その前面にカード挿入口６３ａ，紙幣払出口６５ａ，硬貨払出口６６ａ，及びディスプレイ６４等を備え、図２に示すように、その内部に通信部６１，制御部６２，カードＲ／Ｗ６３，紙幣払出機６５，及び硬貨払出機６６等を備えており、これらの各構成要素は図２に示すように接続されている。
【０１４５】
通信部６１は、システムコントローラ５０の精算装置用通信部５１ｃと通信可能に接続されており、精算装置６０とシステムコントローラ５０との間における通信を司るものである。この通信部６１は、精算装置６０が残有価価値特定情報（入金ＩＤ）と前記残有価価値の大きさ（カード残額）とが記録された精算用記録媒体（精算カード５）を受け付けたときに、該残有価価値特定情報と該残有価価値の大きさとを含む精算許諾要求を遊技用管理装置（システムコントローラ５０）に対して送信するものである。具体的には、入金ＩＤとカード残額とが記録された精算カード５を受け付けたときに、該受け付けた精算カード５から読み取られたカード残額と入金ＩＤとを含む精算許諾要求をシステムコントローラ５０に対して送信する。
【０１４６】
また、通信部６１は記録情報送信手段の一例であって、後述する精算処理手段（制御部６２）による精算に供される精算用記録媒体に記録されている残有価価値特定情報（入金ＩＤ）と装置特定情報（装置ＩＤを特定するための入金ＩＤ）とを送信する（通信部６１）ものである。
【０１４７】
具体的には、精算装置６０にて精算処理手段（制御部６２）による精算が終了した際に、精算が終了した旨を示す精算完了通知をシステムコントローラ５０に送信する。該精算完了通知には、精算に供された精算カード５に記録されていた入金ＩＤが含まれる。該精算完了通知を受信したシステムコントローラ５０においては、精算カードＤＢを参照することにより、入金ＩＤから装置ＩＤを特定可能である。即ち、精算完了通知に含まれる入金ＩＤが装置特定情報として作用する。
【０１４８】
制御部６２は、ＣＰＵ，ＲＡＭ，ＲＯＭ，ＥＥＰＲＯＭ等を備えており、ＲＯＭ（又はＥＥＰＲＯＭ）に記憶されている処理プログラムがＲＡＭを作業領域としてＣＰＵで実行されることにより、精算装置６０に備えられる各構成要素の動作を制御して各種の処理を行うものである。
【０１４９】
精算カードＲ／Ｗ６３は、カード挿入口６３ａから精算カード５を受け付けて、該精算カード５に記録された入金ＩＤ及びカード残額を読み取ると共に、該受け付けた精算カード５から入金ＩＤ及びカード残額を消去するものであり、ここでは前記ＩＣカードである精算カード５に対応したＩＣカードＲ／Ｗを備えている。
【０１５０】
精算カード回収部６３ｂは、精算カードＲ／Ｗ６３により受け付けている精算カード５から入金ＩＤ及びカード残額が消去されたときに、該受け付けている精算カード５を回収するものであり、具体的には、該受け付けている精算カード５を精算装置６０の背面方向に搬送して精算カード回収部６３ｂの内部に回収（収納）する。この精算カード回収部６３ｂは、複数枚の精算カード５を回収可能である。
【０１５１】
ディスプレイ６４は、図６（ｂ）に示すように、各種の情報を表示するための表示デバイスである。このディスプレイ６４では、精算カード５を受付可能なときに、Ｄ１に示すように、精算カード５の挿入を促す旨が表示される。また後述する貨幣を返却するときに、Ｄ２に示すように、残額を返却する旨，及び精算カード５は回収する旨が表示される。なおシステムコントローラ５０から精算許諾情報を受信せず、照合ＮＧである旨を示す精算不可情報を受信したときには、Ｄ３に示すように、精算カード５に異常がある旨が表示される。
【０１５２】
紙幣払出機６５及び硬貨払出機６６は、精算装置用通信部５１ｃから精算許諾情報が返信されてきたことを条件として、カード残額に相当する金額の貨幣を遊技者に返却するものであり、具体的には、紙幣払出機６５の背後に設けられる紙幣収納部６５ｂから所定数の紙幣２を取り出して紙幣払出口６５ａから払い出すと共に、硬貨払出機６６の上部に設けられる硬貨収納部６６ｂから所定数の硬貨３を取り出して硬貨払出口６６ａから払い出す。
【０１５３】
ここで前記制御部６２は精算処理手段の一例であって、前記精算用記録媒体（精算カード５）を受け付けて、該受け付けた精算用記録媒体に記録されている残有価価値特定情報（入金ＩＤ）から特定される残有価価値の大きさ（カード残額）に相当する金額の貨幣を返却して精算するものである。
【０１５４】
また精算処理手段である制御部６２は、受け付けた精算用記録媒体（精算カード５）に記録された残有価価値特定情報（入金ＩＤ）と対応付けて管理装置記憶手段（精算カードＤＢ）に記憶されている残有価価値の大きさ（カード残額）に相当する金額の貨幣を返却して精算するものである。
【０１５５】
具体的には、前記カードＲ／Ｗ６３により受け付けた精算カード５から読み取られるカード残額に相当する金額の貨幣を紙幣払出機６５及び／又は硬貨払出機６６により払い出す制御を行う。
【０１５６】
この精算処理に際して、システムコントローラ５０の精算カードＤＢで管理されるカード残額の範囲内で貨幣が返却される。即ち、システムコントローラ５０が精算許諾情報を送信するための条件が、受信したカード残額（＝精算カード５に記録されているカード残額）≦受信した入金ＩＤと対応付けて精算カードＤＢで記憶されるカード残額、であるため、受信したカード残額＝受信した入金ＩＤと対応付けて精算カードＤＢで記憶されるカード残額、である場合には、該精算カードＤＢで記憶されるカード残額が返却され、受信したカード残額＜受信した入金ＩＤと対応付けて精算カードＤＢで記憶されるカード残額、である場合には、該受信したカード残額（即ち精算カードＤＢで記憶されるカード残額の範囲内の金額）が返却されることになる。
【０１５７】
管理サーバ９０は、遊技場外（例えば精算カード５を発行するカード会社）に設けられ、前記システムコントローラ５０の場外通信部５１ｂと、通信回線を介して双方向のデータ通信を実施できるように接続されている。この管理サーバではシステムコントローラ５０との通信によって精算カードＩＤ毎に使用額，カード残額を記憶しており、精算カード５による売上を把握可能である。また、システムコントローラ５０並びにカードユニット２０のエラー状況等を把握できるようになっている。
【０１５８】
以上に説明した遊技用システム１の作用について図９〜図１７を用いて説明する。まず、図９及び図１０を参照して、貨幣をカードユニット２０に入金する際の処理について説明する。
【０１５９】
遊技者が紙幣２又は硬貨３をカードユニット２０に入金すると、該入金が受け付けられ、貨幣が識別される（Ｓ１０）。次いで、該識別された貨幣が当該カードユニット２０にて受付可能な貨幣であるか否かの判定を実施する（Ｓ１１）。Ｓ１１の判定で受付可能な貨幣でないと判定された場合には（Ｎ）、貨幣が返却される（Ｓ００）。一方、Ｓ１１の判定で受付可能な貨幣と判定された場合には（Ｙ）、次いで入金残額が残存しているか否かの判定を実施する（Ｓ１２）。Ｓ１２の判定で入金残額が残存していると判定された場合には（Ｙ）、貨幣が返却される（Ｓ００）。一方、Ｓ１２の判定で入金残額が残存していないと判定された場合には（Ｎ）、次いで精算カード５がカードＲ／Ｗ２７に受け付けられている状態であるか否かの判定を実施する（Ｓ１３）。Ｓ１３の判定で精算カード５が受け付けられている状態であると判定された場合には（Ｙ）、貨幣が返却される（Ｓ００）。一方、Ｓ１３の判定で精算カード５が受け付けられていない状態と判定された場合には（Ｎ）、図１０に示すＳ２０以降の処理が実施される。
【０１６０】
まず、図１０に示すように、Ｓ２０では、識別された入金金額をユニット制御部２２のＲＡＭに入金残額として記憶し（Ｓ２０）、入金金額（＝入金残額），当該カードユニット２０の装置ＩＤをシステムコントローラ５０に対して送信する（Ｓ２１）。これを受信したシステムコントローラ５０においては、該入金金額の受信に応じて入金ＩＤを生成し（Ｓ２２）、該入金ＩＤと入金金額とを対応付けて入金情報ＤＢに記憶する（Ｓ２３）。ここで、入金金額は残額として記憶される。また、受信した装置ＩＤと対応付けて前記生成した入金ＩＤをカードユニットＤＢに記憶する。該入金ＩＤに対応付けて入金情報ＤＢに記憶されている残額は、自動的にカードユニットＤＢの残額として記憶される。次いでシステムコントローラ５０は、前記生成した入金ＩＤを前記入金金額の送信元であるカードユニット２０に送信する（Ｓ２４）。そして、これを受信したカードユニット２０では、ユニット制御部２２のＲＡＭに、Ｓ２０で記憶した入金残額に対応付けて受信した入金ＩＤを記憶する（Ｓ２５）。そして、該入金残額が所定額（ここでは１０００円とする）以下であるか否かの判定を実施する（Ｓ２６）。Ｓ２６の判定によって、所定額以下でない（Ｎ）と判定された場合には、入金残額に相当する度数である残度数を残度数表示器１４に表示すると共に、現金玉貸可能状態となる（Ｓ１００）。
【０１６１】
Ｓ２６の判定において、入金残額が所定額（１０００円）以下である（Ｙ）と判定された場合には、入金残額に相当する度数分のパチンコ玉の払出を払出制御基板１２に指示し、これにより該度数分のパチンコ玉の払出（低額玉貸処理）が行われ、入金残額から使用金額を減算する（Ｓ３０）。この払出に伴い、ユニット制御部２２のＲＡＭで記憶している入金ＩＤ及び使用金額が当該装置ＩＤと共にシステムコントローラ５０に送信され（Ｓ３１）、これを受信したシステムコントローラ５０においては、該受信した入金ＩＤと対応付けて入金情報ＤＢに記憶している残額から該受信した使用金額を減算する（Ｓ３２）。ここで、残額が０となるときには、該残額に対応する入金ＩＤ，残額を消去する。次に、Ｓ３１の処理に伴い、使用金額を減算した旨を示す減算完了通知を、前記装置ＩＤの送信元であるカードユニット２０に送信する（Ｓ３３）。該減算完了通知を受信したカードユニット２０においては、ユニット制御部２２のＲＡＭで記憶している入金ＩＤ，入金残額を消去する（Ｓ３４）。
【０１６２】
次に図１１を用いて精算カード５がカードユニット２０に挿入される際の処理について説明する。残額有りの精算カード５がカード挿入口２７ａから挿入されて受付状態となると（Ｓ４０）、記録情報である精算カードＩＤ，入金ＩＤ，カード残額が読み取られ（Ｓ４１）、ユニット制御部２２のＲＡＭに入金残額が残存しているか否かの判定が実施される（Ｓ４２）。該判定で入金残額が残存している場合には（Ｙ）精算カード５が返却される（Ｓ４３）。一方、Ｓ４２の判定において、入金残額が残存していない場合には（Ｎ）、精算カード５から読み取られた精算カードＩＤ，入金ＩＤ，カード残額を含む貸与許諾要求を当該カードユニット２０の装置ＩＤと共にシステムコントローラ５０に送信する（Ｓ４４）。Ｓ４４で送信された貸与許諾要求を受信したシステムコントローラ５０においては、受信したカード残額≦受信した入金ＩＤと対応付けて精算カードＤＢで記憶しているカード残額、であるか否かの照合が行われる（Ｓ４５）。
【０１６３】
該Ｓ４５の照合により、照合ＯＫと判定された場合には、精算カード貸与許諾情報を前記貸与許諾要求の送信元であるカードユニット２０に送信する（Ｓ４６）。ここで、照合ＯＫであることにより、受信した装置ＩＤに対応付けて、受信した精算カードＩＤ，入金ＩＤをカードユニットＤＢに記憶する（残額は自動的に記憶される）。なお、照合ＮＧである場合、即ち受信したカード残額＞受信した入金ＩＤと対応付けて入金情報ＤＢで記憶している残額、の場合には、システムコントローラ５０において前記受信した装置ＩＤをディスプレイ５４に表示する等して、不正に書き換えられた可能性のある精算カード５が挿入されているカードユニット２０を遊技場の管理者や店員に知らせるようになっている。
【０１６４】
次に、Ｓ４６で送信された精算カード貸与許諾情報を受信したカードユニット２０においては、精算カード５から読み取られたカード残額に相当する残度数を残度数表示器１４に表示して、精算カード玉貸可能状態となる（Ｓ２００）。
【０１６５】
次に、玉貸ボタン１５が操作された際の処理について図１２〜図１４を用いて説明する。玉貸ボタン１５の操作が検出されると（Ｓ５０）、現金玉貸可能状態であるか否かの判定が行われ（Ｓ５１）、現金玉貸可能状態であると判定された場合には（Ｙ）、Ｓ１０１以降の現金玉貸処理が行われる。
【０１６６】
図１３を用いて現金玉貸処理について説明する。まず玉貸設定金額分（あるいは入金残額分）の玉貸処理が行われる（Ｓ１０１）。これに伴い、入金残額から使用金額が減算されると共に度数表示が更新される（Ｓ１０２）。次いで、ユニット制御部２２のＲＡＭに記憶されている入金ＩＤと前記使用金額を当該装置ＩＤと共にシステムコントローラ５０に対して送信する（Ｓ１０３）。Ｓ１０３で送信された入金ＩＤと使用金額を受信したシステムコントローラ５０においては、受信した入金ＩＤに対応付けて入金情報ＤＢに記憶している残額から受信した使用金額を減算し（Ｓ１０４）、減算完了通知を前記装置ＩＤの送信元であるカードユニット２０に送信する（Ｓ１０５）。該減算完了通知を受信したカードユニット２０においては、入金残額が零であるか否かの判定が行われ（Ｓ１０６）、入金残額が零であると判定された場合には（Ｙ）、現金玉貸可能状態が解除され（Ｓ１０７）、入金ＩＤ，入金残額を消去する（Ｓ１０８）。一方、Ｓ１０６の判定により、入金残額が零ではないと判定されると（Ｎ）、現金玉貸可能状態が継続する（Ｓ１００）。なお、Ｓ１０４の処理によりシステムコントローラ５０側における減算後の残額が零になると、入金ＩＤ，残額が消去される。
【０１６７】
次に、図１２に戻り、Ｓ５１の判定で、現金玉貸可能状態でないと判定された場合には（Ｎ）、次いで精算カード玉貸可能状態であるか否かの判定が行われ（Ｓ５２）、精算カード玉貸可能状態であると判定された場合には（Ｙ）、Ｓ２０１以降の精算カード玉貸処理が行われる。なお、Ｓ５２の判定で、精算カード玉貸可能状態でないと判定された場合には（Ｎ）、処理を終了する。
【０１６８】
図１４を用いて精算カード玉貸処理について説明する。まず玉貸設定金額分（あるいはカード残額分）の玉貸処理が行われる（Ｓ２０１）。これに伴い、カード残額から使用金額が減算されると共に度数表示が更新される（Ｓ２０２）。次いで、精算カード５から読み取られる入金ＩＤと使用金額を装置ＩＤと共にシステムコントローラ５０に対して送信する（Ｓ２０３）。Ｓ２０３で送信された入金ＩＤと使用金額を受信したシステムコントローラ５０においては、受信した入金ＩＤに対応付けて入金情報ＤＢに記憶している残額から受信した使用金額を減算し（Ｓ２０４）、これに伴い精算カードＤＢのカード残額も更新される。そして、減算完了通知を前記装置ＩＤの送信元であるカードユニット２０に送信する（Ｓ２０５）。該減算完了通知を受信したカードユニット２０においては、カード残額が零であるか否かの判定が行われ（Ｓ２０６）、カード残額が零であると判定された場合には（Ｙ）、精算カード玉貸可能状態が解除され（Ｓ２０７）、入金ＩＤ，カード残額を消去する（Ｓ２０８）。そして、精算カード５を精算カードストッカ２７ｂに搬送して収納する（Ｓ２０９）。一方、Ｓ２０６の判定により、カード残額が零ではないと判定されると（Ｎ）、精算カード玉貸可能状態が継続する（Ｓ２００）。なお、Ｓ２０４の処理によりシステムコントローラ５０側における減算後の残額が零になると、入金ＩＤ，残額が消去される。
【０１６９】
次に、カード返却ボタン１６が操作された際の処理について図１５及び図１６を用いて説明する。カード返却ボタン１６の操作が検出されると（Ｓ６０）、現金玉貸可能状態であるか否かの判定が行われ（Ｓ６１）、現金玉貸可能状態であると判定された場合には（Ｙ）、以下のＳ７０以降（図１６）の処理が行われる。
【０１７０】
まず、精算カード５を精算カードストッカ２７ｂからカードＲ／Ｗ２７に搬送して受け付ける（Ｓ７０）。次いで、精算カード５に入金ＩＤ，入金残額を記録し（Ｓ７１）、該精算カード５から読み取られる精算カードＩＤ，入金ＩＤ，入金残額（即ち精算カード５に記録したカード残額）を当該装置ＩＤと共にシステムコントローラ５０に送信する（Ｓ７２）。これを受信したシステムコントローラ５０においては、精算カードＤＢに、受信した精算カードＩＤと対応付けて，受信した入金ＩＤ，入金残額，装置ＩＤを記憶する（入金残額はカード残額として記憶する）と共に、受信した装置ＩＤに対応付けてカードユニットＤＢに記憶されている精算カードＩＤ，入金ＩＤ，残額を消去する（Ｓ７３）。そして該記憶処理の完了を示す記憶完了通知を、受信した装置ＩＤから特定されるカードユニット２０に送信する（Ｓ７４）。該記憶完了通知を受信したカードユニット２０においては、ＲＡＭの入金ＩＤ，入金残額を消去すると共に、現金玉貸可能状態を解除して、精算カード５を返却する（Ｓ７５）。
【０１７１】
このように、本例の精算カードＩＤのように精算カード５固有の識別情報が存在する場合に、当該精算カードＩＤを記録した精算カード５が偽造された場合に、該精算カード５の真の所有者が不利益を被るおそれがあるところ、システムコントローラ５０において、カードユニット２０における貨幣の受付に基づく入金金額が送信されてきたときに、制御部５２により入金ＩＤが生成されることにより、貨幣の受付毎に異なる入金ＩＤが生成され，入金残額を記録する際に該入金ＩＤが精算カード５に記録されて返却されることとなるので、精算カード５が偽造されて真の所有者が不利益を被るおそれが著しく低減する。
【０１７２】
また、入金残額を遊技者に対して返却するにあたり、精算カードストッカ２７ｂから精算カード５を搬送し、入金ＩＤ，入金残額を記録して排出する処理を行うため、該精算カード５をカードユニット２０に供給するための搬送装置を遊技島に設ける必要がないことから、該搬送装置を導入するコストを不要にできると共に遊技島の設備の複雑化を防止できる。
【０１７３】
図１５に戻り、Ｓ６１の判定で現金玉貸可能状態でないと判定されると（Ｎ）、次いで精算カード玉貸可能状態であるか否かの判定が行われ（Ｓ６２）、精算カード玉貸可能状態であると判定されると（Ｙ）、精算カード玉貸可能状態が解除され（Ｓ６３）、精算カード５を返却する（Ｓ６４）。また、Ｓ６２の判定により精算カード玉貸可能状態でないと判定された場合には（Ｎ）、処理を終了する。
【０１７４】
次に図１７を参照して、精算装置６０とシステムコントローラ５０の作用について説明する。精算装置６０に精算カード５が挿入されて受け付けられると（Ｓ３００）、精算カード５から入金ＩＤ，カード残額が読み取られ（Ｓ３０１）、該読み取られた入金ＩＤ，カード残額を含む精算許諾要求をシステムコントローラ５０に送信する（Ｓ３０２）。そして、精算許諾要求を受信したシステムコントローラ５０においては、該受信したカード残額と、該受信した入金ＩＤと対応付けて精算カードＤＢに記憶されているカード残額との照合（即ち、受信したカード残額≦受信した入金ＩＤに対応付けて精算カードＤＢで記憶されているカード残額、であるか否かの照合）を行い（Ｓ３１０）、照合ＮＧ（即ち受信したカード残額＞受信した入金ＩＤに対応付けて精算カード５に記憶されている残額）であると判定された場合には、該照合ＮＧである旨を示す精算不可情報を精算装置６０に対して返信する（Ｓ３３０）。精算不可情報を受信した精算装置６０においては、図６（ｂ）のＤ３に示すように、カードに異常がある旨のメッセージが表示されて貨幣の払出が実施されない（Ｓ３３１）。また、精算カード５が返却されずに留保され、店員により回収される。なお、照合ＮＧである旨を受信した精算装置６０が精算カード５を返却するようにしても良い。
【０１７５】
一方、Ｓ３１０の判定で照合ＯＫ（即ち受信したカード残額≦受信した入金ＩＤに対応付けて精算カードに記憶されている残額）であることを条件として、精算装置６０に対して、精算許諾情報を返信する（Ｓ３２０）。該精算許諾情報を受信した精算装置６０においては、前記読み取ったカード残額に相当する金額の貨幣を紙幣払出機６５及び／又は硬貨払出機６６から払い出して遊技者に返却する（Ｓ３２１）。次いで、精算カード５から入金ＩＤとカード残額を消去して、精算カード５を精算カード回収部６３ｂの内部に回収する（Ｓ３２２）。Ｓ３２２の処理が終了すると、精算カード６０からシステムコントローラ５０に対して精算カード５に記録されていた入金ＩＤを含む精算完了通知が送信される（Ｓ３２３）。
【０１７６】
これを受信したシステムコントローラ５０においては、精算金額（即ち受信した入金ＩＤに対応付けて精算カードＤＢに記憶されているカード残額）が高額精算基準金額（ここでは7000円）以上であるか否かの判定が実施される（Ｓ３２４）。該Ｓ３２４の判定により高額精算回数基準金額以上でないと判定された場合には（Ｎ）、入金情報ＤＢにおいて、該入金ＩＤ，及び該入金ＩＤに対応付けて記憶されている残額を消去すると共に、精算カードＤＢにおいて、該入金ＩＤ，及び該入金ＩＤに対応付けて記憶されているカード残額，及び該入金ＩＤに対応付けて記憶されている装置ＩＤを消去する（Ｓ３２８）。一方、Ｓ３２４の判定で、高額精算基準金額以上であると判定された場合には（Ｙ）、精算カードＤＢによって該入金ＩＤに対応付けて記憶されている装置ＩＤを特定し（Ｓ３２５）、カードユニットＤＢにおいて、該特定した装置ＩＤに対応する高額精算回数に１を加算する（Ｓ３２６）。次いで、該加算更新後の高額精算回数が、該装置ＩＤと対応付けて記憶されている高額精算回数基準値に達していれば、制御部５２が報知画面を表示するためのプログラムを自動的に実行し、該装置ＩＤと高額精算回数（及び受付可能貨幣）を図８（ａ）に示すように、ディスプレイ５４の報知画面に表示する（Ｓ３２７）。そして、入金情報ＤＢにおいて、該入金ＩＤ，及び該入金ＩＤに対応付けて記憶されている残額を消去すると共に、精算カードＤＢにおいて、該入金ＩＤ，及び該入金ＩＤに対応付けて記憶されているカード残額，及び該入金ＩＤに対応付けて記憶されている装置ＩＤを消去する（Ｓ３２８）。
【０１７７】
このように、精算に供された精算カード５に記録されていたカード残額が高額精算基準金額以上であることを条件として、該精算カード５を排出したカードユニット２０の高額精算回数を加算更新し、ディスプレイ５４に、集計期間内における高額精算回数が予め定められた国学精算回数基準値に達したカードユニット２０の装置ＩＤを表示するので、偽造貨幣が使用されているおそれのあるカードユニット２０を遊技場側で把握し、迅速な対応を行うことができる。これにより、偽造貨幣による遊技場の損失を極力防止することができる。特に、貨幣の識別能力の低い遊技用装置を狙って偽造貨幣が頻繁に使用される場合には、これを早い段階で把握して、遊技場の損失を最小減に抑えることができる。
【０１７８】
また、精算カードＤＢにより、入金ＩＤと対応付けて、当該入金ＩＤから特定されるカード残額を記憶するようにしているので、精算カード５のカード残額が不正に書き換えられた場合にも、カード残額の不正な書換による遊技場の損害を極力防止できる。例えば、カード残額が不正に書き換えられた精算カード５による精算が行われようとした際に、書き換え後のカード残額が、同精算カード５に記憶されている入金ＩＤに対応付けて精算カードＤＢで記憶されているカード残額より大きければ精算が実施されないので、遊技場の損害を抑えることができる。
【０１７９】
［２．第２実施形態に係る遊技用システム１］
次に、第２実施形態に係る遊技用システム１について第１実施形態と異なる点についてのみ説明する。
【０１８０】
カードユニット２０において、ユニット制御部２２は第１実施形態と異なり、指定貨幣設定手段としては機能しない。
【０１８１】
ユニット制御部２２は指令貨幣設定手段の一例であって、後述する受付金種指令手段（制御部５２）により指令された金種の貨幣のみを前記貨幣受付手段（紙幣識別機２３，硬貨識別機２４）により受付可能とする設定を行うものである。具体的には、システムコントローラ５０から受付可能貨幣を指令されたことに基づいて、該指令に応じた貨幣のみを紙幣識別機２３及び／又は硬貨識別機２４により受付可能とする。
【０１８２】
システムコントローラ５０において、ユニット用通信部５１ａは第１実施形態と異なり、受付金種特定情報送信手段としては機能しない。
【０１８３】
ハードディスク５３は第１実施形態と同様に、図５に示す入金情報ＤＢ，精算カードＤＢ，カードユニットＤＢを記憶しているが、本第２実施形態において、カードユニットＤＢにおける「受付可能貨幣」は、初期状態（デフォルト状態）では、100，500，1000，2000，5000，10000（各々、100円，500円，1000円，2000円，5000円，10000円を示す）の全貨幣であり、「高額精算回数」が「高額精算回数基準値」に達した後は、後述する図１８（ｂ）に示す受付可能貨幣指令画面にて選択された金種の貨幣が「受付可能貨幣」となる。また、本第２実施形態におけるカードユニットＤＢでは、「高額精算回数」≦「高額精算回数基準値」となる。
【０１８４】
ディスプレイ５４は、第１実施形態と異なり報知手段としては機能しない。即ち、本第２実施形態においては、高額精算回数が高額精算回数基準値に達したカードユニット２０の装置ＩＤの表示は行わなくても良い。
【０１８５】
またディスプレイ５４及び入力装置５５は、第１実施形態と異なり、金種指定受付手段としては機能しない。
【０１８６】
本第２実施形態において、通信部６１は記録情報送信手段として機能するものであり、残有価価値特定情報（入金ＩＤ）を含む精算許諾要求を送信する。具体的には、精算カード５を受け付けた際に、該受け付けた精算カード５から読み取られた入金ＩＤ及びカード残額を含む精算許諾要求をシステムコントローラ５０に対して送信する。
【０１８７】
制御部５２は精算禁止処理手段の一例であって、高額精算回数加算更新手段（制御部５２）により加算更新された所定期間（集計期間）内における高額精算回数が予め定められた所定回数（高額精算回数基準値）に達した遊技用装置から排出された精算用記録媒体による精算を禁止するための処理を行うものである。
【０１８８】
ここで、本第２実施形態において、精算禁止処理手段（制御部５２）は、前記記録情報送信手段（通信部６１）から送信された精算許諾要求に含まれる残有価価値特定情報（入金ＩＤ）と対応付けて管理装置記憶手段（精算カードＤＢ）に記憶されている装置識別情報（装置ＩＤ）の遊技用装置（カードユニット２０）に対応する高額精算回数が前記所定回数（高額精算回数基準値）に達しており、かつ該装置識別情報と対応付けて前記管理装置記憶手段（精算カードＤＢ）で記憶されている残有価価値の大きさ（カード残額）が予め定められた第２の所定の大きさ（精算不可金額）以上であることを条件として、当該残有価価値の大きさについての精算を許諾しない旨（高額精算回数基準値到達情報）を前記精算許諾要求の送信元の精算装置６０に返信する処理を行う。
【０１８９】
具体的には、精算装置６０から精算許諾要求を受信したことに基づいて、該精算許諾要求に含まれる入金ＩＤと対応付けて精算カードＤＢに記憶されている装置ＩＤを特定し、該特定した装置ＩＤと対応付けてカードユニットＤＢで記憶されている高額精算回数が高額精算回数基準値に達しており、かつ該装置ＩＤと対応付けて精算カードＤＢに記憶されているカード残額が、図１８（ａ）に示す精算不可金額設定画面にて設定されている精算不可金額以上であることを条件として、精算許諾情報を送信せずに、高額精算回数基準値到達情報を精算装置６０に対して送信する。高額精算回数基準値到達情報を受信した精算装置６０では、精算が実施されずに、図６（ｂ）のＤ４に示すように、高額精算回数が高額精算回数基準値に達している旨を示すメッセージがディスプレイ６４に表示されて、精算カード５が返却される。
【０１９０】
ここで、図１８（ａ）を用いて精算不可金額の設定方法について説明する。図１８（ａ）に示すように、ディスプレイ５４に表示される精算不可金額設定画面において、入力欄に所望の金額を入力して「設定」ボタンを選択することにより、該入力欄に入力された金額が精算不可金額として記憶される。即ち、高額精算回数が高額精算回数基準値に達した後は、該装置ＩＤのカードユニットから排出された精算カード５について、精算不可金額として入力された金額以上の精算を禁止し、該入力された金額以下の金額のみの精算が可能となる。
【０１９１】
また制御部５２は受付金種指令手段の一例であって、高額精算回数加算更新手段（制御部５２）により加算更新された所定期間（集計期間）内における高額精算回数が前記所定回数（高額精算回数基準値）に達した遊技用装置（カードユニット２０）に対して、当該遊技用装置にて受付可能な貨幣（紙幣２，硬貨３）の金種を指令するものである。
【０１９２】
具体的には、高額精算回数の加算更新が行われる毎に、高額精算回数基準値に達したか否かの判定を実施し、高額精算回数基準値に達していれば、図１８（ｂ）に示す受付可能貨幣指令画面にて選択されている金種の貨幣のみを受付可能とする指令をユニット用通信部５１ａから対応するカードユニット２０に対して送信する。
【０１９３】
ここで、図１８（ｂ）を用いて受付可能貨幣の選択方法について説明する。図１８（ｂ）に示すように、ディスプレイ５４に表示される受付可能貨幣指令画面において、100円，200円，500円，1000円，2000円，5000円，10000円の各貨幣に対応するチェックボックスが設けられており、高額精算回数基準値に達したカードユニット２０にて受付可能とする所望の金種に対応するチェックボックスにチェックをして「設定」ボタンを選択することにより、高額精算回数基準値に達したカードユニット２０に対して、該チェックされた金種の貨幣のみを受付可能とする指令が送信されると共に、該カードユニット２０の装置ＩＤに対応付けてカードユニットＤＢで記憶されている「受付可能貨幣」として、該チェックされた金種の貨幣が記憶される。
【０１９４】
次に図１９を用いて、第１実施形態における遊技用システム１の作用と異なる点についてのみ説明を行う。以下では第１実施形態と異なる処理について’（ダッシュ）を付すことにより区別する。
【０１９５】
Ｓ３００〜Ｓ３１０の処理については第１実施形態と同様である。またＳ３１０の照合において、照合ＮＧである場合の処理（Ｓ３３０〜Ｓ３３１）も第１実施形態と同様である。Ｓ３１０の照合において照合ＯＫであるとされた場合には、受信した精算許諾要求に含まれる入金ＩＤと対応付けて精算カードＤＢに記憶されている装置ＩＤを特定し、該装置ＩＤと対応付けてカードユニットＤＢで記憶されている高額精算回数が高額精算回数基準値に達しているか否か（即ち、高額精算回数＝高額精算回数基準値、であるか否か）の判定を実施する（Ｓ３１１’）。ここで、高額精算回数基準値に達していると判定されなかった場合には（Ｎ）、第１実施形態において示したＳ３２０〜Ｓ３２４の処理を行う。一方、Ｓ３１１’の判定で高額精算回数基準値に達していると判定された場合には（Ｙ）、受信した入金ＩＤに対応付けて精算カードＤＢに記憶されているカード残額（即ち精算される金額）が精算不可金額以上であるか否かの判定が実施される（Ｓ３１２’）。Ｓ３１２’の判定で、精算不可金額以上でない（Ｎ）と判定された場合には、第１実施形態において示したＳ３２０〜Ｓ３２４の処理を行う。一方、Ｓ３１２’の判定で、精算不可金額以上である（Ｙ）と判定された場合には、精算装置６０に対して高額精算回数が所定回数に達したことを示す高額精算回数基準値到達情報を送信する（Ｓ３１３’）。これを受信した精算装置６０においては、前述したように、精算が実施されずに、高額精算回数が高額精算回数基準値に達している旨を示すメッセージがディスプレイ６４に表示されて、精算カード５が返却される。
【０１９６】
このように、精算に供された精算カード５に記録されていたカード残額が高額精算基準金額以上であることを条件として、該精算カード５を排出したカードユニット２０の高額精算回数を加算更新し、精算禁止処理手段である制御部５２が、所定期間内における高額精算回数が予め定められた高額精算回数基準値に達したカードユニット２０から排出された精算カード５による精算を禁止するための処理として、精算許諾情報を送信せずに、高額精算回数基準値到達情報を送信する処理を行うので、偽造貨幣が使用されているおそれのあるカードユニット２０から排出された精算カードによる精算が禁止され、偽造貨幣による遊技場の損失を極力防止することができる。特に、貨幣の識別能力の低い遊技用装置を狙って偽造貨幣が頻繁に使用される場合には、早い段階で精算が禁止されるので、遊技場の損失を最小減に抑えることができる。
【０１９７】
また、高額精算回数が高額精算回数基準値に達しており、かつ入金ＩＤと対応付けて精算カードＤＢで記憶されているカード残額が精算不可金額以上であることを条件として、精算を許諾しないので、高額精算回数基準値に達している場合であっても、偽造貨幣の使用による不正の可能性が低い精算不可金額に満たない金額の精算は可能であり、遊技者の不便を解消できる。
【０１９８】
ここで、Ｓ３２４の判定で、精算金額（即ち受信した入金ＩＤに対応付けて精算カードＤＢに記憶されているカード残額）が高額精算基準金額（ここでは7000）以上でないと判定された場合には（Ｎ）、第１実施形態と同様に、入金情報ＤＢにおいて、該入金ＩＤ，及び該入金ＩＤに対応付けて記憶されている残額を消去すると共に、精算カードＤＢにおいて、該入金ＩＤ，及び該入金ＩＤに対応付けて記憶されているカード残額，及び該入金ＩＤに対応付けて記憶されている装置ＩＤを消去する（Ｓ３２８）。一方、Ｓ３２４の判定で、高額精算基準金額以上であると判定された場合には（Ｙ）、第１実施形態と同様に、精算カードＤＢによって該入金ＩＤに対応付けて記憶されている装置ＩＤを特定し（Ｓ３２５）、カードユニットＤＢにおいて、該特定した装置ＩＤに対応する高額精算回数に１を加算する（Ｓ３２６）。次いで、該加算更新後の高額精算回数が、該装置ＩＤと対応付けて記憶されている高額精算回数基準値に達していれば、該装置ＩＤのカードユニット２０に対して受付可能貨幣指令画面にて選択した金種の貨幣のみを受付可とする指令（受付可とする金種を特定可能な情報を含む）を送信する（Ｓ３２７’）。そして、第１実施形態と同様に、入金情報ＤＢにおいて、該入金ＩＤ，及び該入金ＩＤに対応付けて記憶されている残額を消去すると共に、精算カードＤＢにおいて、該入金ＩＤ，及び該入金ＩＤに対応付けて記憶されているカード残額，及び該入金ＩＤに対応付けて記憶されている装置ＩＤを消去する（Ｓ３２８）。
【０１９９】
なお、前記Ｓ３２７’においてシステムコントローラ５０からの指令を受信したカードユニット２０においては、指令貨幣設定手段であるユニット制御部２２が、該指令に応じた金種の貨幣のみを紙幣識別機２３及び／又は硬貨識別機２４により受付可能とする。
【０２００】
このように、高額精算回数が高額精算回数基準値に達したカードユニット２０に対して、当該カードユニット２０にて受付可能な貨幣の金種を指令し、指令貨幣設定手段であるユニット制御部２２が、指令された金種の貨幣のみを紙幣識別機２３及び／又は硬貨識別機２４により受付可能とする設定を行うので、遊技場の店員による措置等を待つことなく、偽造貨幣が使用されているおそれのあるカードユニット２０で受付可能な金種を限定することで偽造貨幣の使用を防止することができる。
【０２０１】
［３．第３実施形態に係る遊技用システム１］
次に、第３実施形態に係る遊技用システム１について第２実施形態と異なる点についてのみ説明する。
【０２０２】
第２実施形態と同様に、制御部５２は精算禁止処理手段の一例であって、高額精算回数加算更新手段（制御部５２）により加算更新された所定期間（集計期間）内における高額精算回数が予め定められた所定回数（高額精算回数基準値）に達した遊技用装置から排出された精算用記録媒体による精算を禁止するための処理を行うものである。
【０２０３】
ここで、本第３実施形態においては、精算禁止処理手段（制御部５２）は、前記高額精算回数加算更新手段（制御部５２）により加算更新された所定期間（集計期間）内における高額精算回数が予め定められた所定回数（高額精算回数基準値）に達した遊技用装置（カードユニット２０）の装置識別情報（装置ＩＤ）を前記精算装置（６０）に送信する処理を行うものである。具体的には、高額精算回数が高額精算回数基準値に達したことに基づいて、当該カードユニット２０の装置ＩＤを精算装置用通信部５１ｃから精算装置６０に送信する。
【０２０４】
制御部６２のＥＥＰＲＯＭは精算禁止情報記憶手段の一例であって、精算禁止処理手段により送信された装置識別情報を記憶するものであり、図２０のＳ３２８ａ’に示すように、上記制御部５２により精算装置用通信部５１ｃから送信されてくる装置ＩＤを記憶する。
【０２０５】
また精算処理手段として機能する制御部６２は、受け付けた精算用記録媒体（精算カード５）の装置特定情報（入金ＩＤ）から特定される遊技用装置の装置識別情報（装置ＩＤ）が前記精算禁止情報記憶手段（制御部６２のＥＥＰＲＯＭ）に記憶されており、かつ該精算用記録媒体に記録されている残有価価値特定情報（入金ＩＤ）から特定される残有価価値の大きさ（カード残額）が予め定められた第２の所定の大きさ（精算不可金額）以上であることを条件として、当該残有価価値の大きさについての精算を行わないものである。
【０２０６】
具体的には、精算カードＲ／Ｗ６３により受け付けた精算カード５に記録されている入金ＩＤから特定された装置ＩＤ（該特定はシステムコントローラ５０の精算カードＤＢを参照することにより行われ、特定された装置ＩＤは精算許諾情報に含めて精算装置６０に送信される）が、制御部６２のＥＥＰＲＯＭに記憶されており、かつ該精算カード５に入金ＩＤと共に記録されているカード残額が前述した精算不可金額設定画面にて設定された精算不可金額以上であれば、当該カード残額についての精算を行わずに、精算カード５を返却し、カード残額が精算不可金額未満であれば、精算許諾情報をシステムコントローラ５０に送信する処理を行う。なお、精算不可金額は、本第２実施形態においては、精算不可金額設定画面における設定完了後にシステムコントローラ５０から精算装置６０に送信されて、ＥＥＰＲＯＭ等に記憶されている。
【０２０７】
次に図２０を用いて、第２実施形態における遊技用システム１の作用と異なる点についてのみ説明を行う。以下では第２実施形態と異なる処理についてａ’（ａダッシュ）を付すことにより区別する。
【０２０８】
Ｓ３００〜Ｓ３１０の処理については第２実施形態と同様である。またＳ３１０の照合において、照合ＮＧである場合の処理（Ｓ３３０〜Ｓ３３１）も第２実施形態と同様である。Ｓ３１０の照合において照合ＯＫであるとされた場合には、受信した入金ＩＤと対応付けて精算カードＤＢで記憶している装置ＩＤを特定し、該特定した装置ＩＤを含む精算許諾情報を精算装置６０に送信する（Ｓ３２０ａ’）。精算装置６０においては、該受信した精算許諾情報に含まれる装置ＩＤ（即ち精算カード５の入金ＩＤから特定された装置ＩＤ）が、制御部６２のＥＥＰＲＯＭに記憶されているか否かの判定が実施され（Ｓ３０１ａ’）、記憶されていないと判定された場合には（Ｎ）、前述したＳ３２１〜Ｓ３２４の処理が行われる。一方、Ｓ３０１ａ’の判定において記憶されていると判定された場合には（Ｙ）、次いで読み取られたカード残額が精算不可金額以上であるか否かの判定が実施され（Ｓ３０２ａ’）、精算不可金額以上でないと判定された場合には（Ｎ）、前述したＳ３２１〜Ｓ３２４の処理が行われる。一方、Ｓ３０２ａ’の判定において精算不可金額以上であると判定された場合には（Ｙ）、ディスプレイ６４に高額精算回数基準値に達している旨の表示が行われて（Ｓ３０３ａ’）、精算カード５が返却される（Ｓ３０４ａ’）。
【０２０９】
このように、精算禁止処理手段である制御部５２は、精算カード５の受付時に、該受け付けた精算カード５に記録されている精算カードＩＤがＥＥＰＲＯＭに記憶されており、かつ該精算カード５に記録されているカード残額が精算不可金額以上であることを条件として、当該カード残額についての精算を行わないので、高額精算回数が高額精算回数基準値に達している場合であっても、偽造貨幣の使用による不正の可能性が低い精算不可金額に満たない金額の精算は可能であり、遊技者の不便を解消できる。
【０２１０】
ここで、Ｓ３２４の判定で、精算金額（即ち受信した入金ＩＤに対応付けて精算カードＤＢに記憶されているカード残額）が高額精算基準金額（ここでは7000）以上でないと判定された場合には（Ｎ）、第２実施形態と同様に、入金情報ＤＢにおいて、該入金ＩＤ，及び該入金ＩＤに対応付けて記憶されている残額を消去すると共に、精算カードＤＢにおいて、該入金ＩＤ，及び該入金ＩＤに対応付けて記憶されているカード残額，及び該入金ＩＤに対応付けて記憶されている装置ＩＤを消去する（Ｓ３２８）。一方、Ｓ３２４の判定で、高額精算基準金額以上であると判定された場合には（Ｙ）、第２実施形態と同様に、精算カードＤＢによって該入金ＩＤに対応付けて記憶されている装置ＩＤを特定し（Ｓ３２５）、カードユニットＤＢにおいて、該特定した装置ＩＤに対応する高額精算回数に１を加算する（Ｓ３２６）。次いで、該加算更新後の高額精算回数が、該装置ＩＤと対応付けて記憶されている高額精算回数基準値に達していれば、該装置ＩＤのカードユニット２０に対して受付可能貨幣指令画面にて選択した金種の貨幣のみを受付可とする指令（受付可とする金種を特定可能な情報を含む）を送信する（Ｓ３２７’）。次いで、本第３実施形態においては、前記特定された装置ＩＤを精算装置６０に送信する（Ｓ３２７ａ’）。該装置ＩＤを受信した精算装置６０では、制御部６２が受信した装置ＩＤをＥＥＰＲＯＭに記憶する（Ｓ３２８ａ’）
【０２１１】
そして、システムコントローラ５０においては、Ｓ３２７ａ’の処理の後、第２実施形態と同様に、入金情報ＤＢにおいて、該入金ＩＤ，及び該入金ＩＤに対応付けて記憶されている残額を消去すると共に、精算カードＤＢにおいて、該入金ＩＤ，及び該入金ＩＤに対応付けて記憶されているカード残額，及び該入金ＩＤに対応付けて記憶されている装置ＩＤを消去する（Ｓ３２８）。
【０２１２】
［４．変形例］
最後に、本発明の変形例について説明する。
【０２１３】
上記の実施形態では、各種の有価価値の大きさ（受付有価価値の大きさ，貸与有価価値の大きさ，残有価価値の大きさ）が、各々金額自体（入金金額，使用金額，入金残額並びにカード残額）である例について説明したが、これに限らず、有価価値の大きさは、金額が所定の比率で換算された残度数や点数等であっても良い。
【０２１４】
上記の実施形態では、遊技用装置（カードユニット２０）のユニット制御部２２のＲＡＭに残有価価値の大きさ（受付有価価値の大きさ）を記憶する例について説明したが、これに限らず、例えば遊技用装置内部において指触不能に封入された封入型記録媒体（いわゆる封入カード）に残有価価値の大きさ（受付有価価値の大きさ）を記憶するようにしても良く、入金に際して精算カード５を精算カードストッカ２７ｂからカードＲ／Ｗ２７に搬送し、該精算カード５に受付有価価値の大きさ（残有価価値の大きさ）を記憶するようにしても良い。さらに、カード残額が零となった精算カード５を精算カードストッカ２７ｂに収納せずにカードＲ／Ｗ２７に留保するようにしておき、該入補されている精算カード５に受付有価価値の大きさ（残有価価値の大きさ）を記憶するようにしても良い。
【０２１５】
上記の実施形態では、残有価価値の大きさを特定するための残有価価値特定情報が、遊技用管理装置（システムコントローラ５０）の制御部５２により生成された入金ＩＤである例について説明したが、これに限らず、該残有価価値特定情報は、精算カード５に固有の精算カードＩＤや、前記封入カードに固有の封入カードＩＤや、遊技用装置（カードユニット２０）を個々に識別可能な装置ＩＤ等であっても良く、これらの場合には、遊技用管理装置に対して、受付有価価値の大きさ（入金金額）と共に当該各ＩＤが送信され、遊技用管理装置の管理装置記憶手段において、受付有価価値の大きさが残有価価値の大きさ（カード残額）として記憶されると共に当該各ＩＤが残有価価値特定情報として記憶される。
【０２１６】
ここで、残有価価値特定情報は、上記各ＩＤに限らずカード残額自体であっても良く、該カード残額自体が残有価価値の大きさである。この場合には、精算用記録媒体に記録されている当該残有価価値の大きさに基づいて玉貸や精算が行われる。このように、残有価価値特定情報は上記ＩＤでなくとも良く、遊技用管理装置は、上記ＩＤと対応付けて残有価価値の大きさを記憶しなくても良い。
【０２１７】
上記の実施形態では、システムコントローラ５０において、入金ＩＤを装置ＩＤと対応付けて精算カードＤＢに記憶することにより、該記憶処理以降は入金ＩＤが装置特定情報として作用する例について説明したが、これに限らず、カードユニット２０が精算カード５を排出する際に、当該カードユニット２０の装置ＩＤを精算カード５に記録するようにしても良く、これによれば、精算カード５に記録されている装置ＩＤが装置特定情報となる。システムコントローラ５０は、精算装置６０から装置ＩＤを含む精算完了通知を受信する（例えば、図１７，図１９，図２０のＳ３２３で入金ＩＤではなく装置ＩＤを含む精算完了通知を受信する）ことで、図１７，図１９，図２０のＳ３２５に示すような入金ＩＤから装置ＩＤを特定する処理を省くことができる。さらに第３実施形態の遊技用システム１においては、精算カード５を受け付けたときに、該受け付けた精算カード５に記録されている装置ＩＤがＥＥＰＲＯＭに記憶されているか否かを判定すれば良く、システムコントローラ５０において入金ＩＤから装置ＩＤを特定して精算装置６０に送信する処理を省くことができる。
【０２１８】
上記の実施形態では、貨幣が入金される際に、入金金額と装置ＩＤがシステムコントローラ５０に送信され、システムコントローラ５０において入金ＩＤが生成されて、入金情報ＤＢ，カードユニットＤＢにより該入金ＩＤ，入金残額，装置ＩＤが対応付けて管理される例について説明したが、これに限らず、貨幣が入金された際には、システムコントローラ５０に上記の各情報を送信せず、カードユニット２０が入金金額を記憶しておき、精算カード５に入金残額を記録して排出する際に、該精算カード５を排出したカードユニット２０の装置ＩＤと入金残額をシステムコントローラ５０に送信するようにしても良い。これによっても、システムコントローラ５０においては残有価価値特定情報であり、かつ装置特定情報である装置ＩＤに対応付けて残有価価値の大きさ（入金残額）を管理することが可能である。
【０２１９】
上記の実施形態では、精算用記録媒体（精算カード５）が、非接触式のＩＣカードである例について説明したが、これに限らず、精算用記録媒体は、接触式の集積回路，磁気，二次元コード（例えばバーコード），三次元コード，又は光干渉（例えばホログラム）等により情報を記録するものでも良い。また該遊技用記録媒体や精算用記録媒体の形状は、カード型には限られず、コイン型であっても良い。
【０２２０】
上記の実施形態では、精算用記録媒体（精算カード５）において、残有価価値特定情報（入金ＩＤ），装置特定情報（装置ＩＤを特定するための入金ＩＤ），及び残有価価値の大きさ（カード残額）が記録されている例について説明したが、これに限らず、該精算用記録媒体には、少なくとも残有価価値特定情報と装置特定情報が記録されていれば良い。このように精算用記録媒体に残有価価値の大きさが記録されていない場合には、該残有価価値特定情報と対応付けて遊技用管理装置（システムコントローラ５０）の入金情報ＤＢで記憶されている残有価価値の大きさ（残額）に基づいて貸与処理や精算が行われる。
【０２２１】
上記の実施形態では、図１〜図３に示すように、遊技機がパチンコ機１０である例について説明したが、これに限らず、該遊技機は、例えば遊技媒体としてメダルを使用するスロットマシン，遊技媒体としてパチンコ玉を使用するスロットマシンであるパチロット，遊技媒体であるパチンコ玉が指触不能に封入された封入式のパチンコ機，パチンコ玉やメダルを用いることなく得点データを使用して遊技可能なパチンコ機やスロットマシンやパチロット，遊技領域やパチンコ玉が画像にて表示される画像式のパチンコ機，リールが画像にて表示される画像式のスロットマシンやパチロット等であっても良い。
【０２２２】
上記の実施形態では、貸与処理が行われた場合に、遊技用装置（カードユニット２０）と遊技機（パチンコ機１０）との間でパチンコ玉の貸与に関する信号のやり取りが行われて、該遊技機に設けられた玉払出装置１３からパチンコ玉が払い出されて貸与される例について説明したが、これに限らず、遊技用装置に設けられた図示しない玉払出装置からパチンコ玉が払い出されて貸与されるようにしても良い。
【０２２３】
上記の実施形態では、遊技媒体を貸与するための貸与処理が、パチンコ玉を貸与する玉貸処理である例について説明したが、これに限らず、該貸与処理は、前記メダルを貸与するメダル貸出処理や、前記画像式のパチンコ機やスロットマシンやパチロットにおいて有価価値の大きさを遊技媒体としての得点に変換して遊技に使用させる処理等でも良い。
【０２２４】
上記の実施形態では、図２及び図３に示すように、残度数表示器１４，玉貸ボタン１５，及びカード返却ボタン１６が遊技機（パチンコ機１０）に設けられ、遊技用装置（カードユニット２０）と接続されている例について説明したが、これに限らず、これら残度数表示器１４，玉貸ボタン１５，及びカード返却ボタン１６の一部又は全部を遊技用装置に設けるようにしても良い。
【０２２５】
上記の実施形態では、図２及び図３に示すように、紙幣識別機２３にて受付可能な紙幣２の種類が1000円紙幣，2000円紙幣，5000円紙幣，及び10000円紙幣の４種類である例について説明したが、これに限らず、受付可能な紙幣２の種類は、該４種類のうちの任意の１種類又は２種類以上でも良い。同様に、上記の実施形態では、硬貨識別機２４にて受付可能な硬貨３の種類が100円硬貨，及び500円硬貨の２種類である例について説明したが、これに限らず、受付可能な硬貨３の種類は、該２種類のうちの任意の１種類でも良い。なお貨幣として紙幣２及び硬貨３の双方を受け付けるものには限られず、紙幣２又は硬貨３のいずれか一方のみを受け付けるものでも良い。
【０２２６】
上記の実施形態では、図２に示すように、貨幣受付手段（紙幣識別機２３、硬貨識別機２４）により受け付けられた貨幣（紙幣２，硬貨３）が遊技用装置（カードユニット２０）外部に排出されて、紙幣搬送機構，硬貨搬送機構により搬送される例について説明したが、これに限らず、該受け付けられた貨幣は、遊技用装置内部に貯留されるようにしても良い。
【０２２７】
上記の実施形態では、図２に示すように、貨幣受付手段（紙幣識別機２３、硬貨識別機２４）において、有体物である貨幣（紙幣２，硬貨３）を受け付ける例について説明したが、これに限らず、無体物である貨幣（例えば電子マネー等の貨幣金額に相当する金額データや、クレジットカードから特定される与信金額や、デビットカードから特定される預金金額等）を接触又は非接触で受け付けるようにしても良い。
【０２２８】
上記の実施形態では、遊技用装置（カードユニット２０）において玉貸処理が行われるときに、１度数に相当するパチンコ玉数（例えば消費税を考慮しないのであれば２５個、消費税を考慮するのであれば消費税率に応じて２４個，２３個…等の、具体的な玉数）の払出を要求する信号（ＢＲＱ信号）がパチンコ機１０に対して送信される例について説明したが、該玉貸処理は、例えば以下の変形例１又は変形例２に示す如く行われるようにしても良い。
【０２２９】
まず変形例１として、パチンコ機１０において、遊技用装置からの１回の払出要求に応じて払い出すパチンコ玉の数（以下「単位払出数」という。）を設定変更可能に構成すると共に、遊技用装置において、該設定された単位払出数を予め記憶可能に構成した場合には、以下のようにして玉貸処理を行う。まず遊技用装置は、玉貸ボタン１５の操作をユニット制御部２２により検出すると、パチンコ玉の払出を要求する払出要求信号（具体的な払出要求玉数は示さない信号）を払出制御基板１２に対して送信する。該払出要求信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、実際に払い出したパチンコ玉の数である払出結果玉数を示す払出結果信号をユニット制御部２２に対して送信する。該払出結果信号を受信した遊技用装置は、前記予め記憶している単位払出数と、該払出結果信号に示される払出結果玉数とを照合し、照合ＯＫである場合には、前記１度数分の減算処理を行い、その後、前記玉貸設定度数分の玉貸処理を行う。
【０２３０】
ここで払出結果玉数を示す払出結果信号は、パチンコ機１０の払出制御基板１２から出力されるようにしても良いし、払い出されたパチンコ玉の数を検出する図示しない払出検出センサから出力されるようにしても良い。また遊技用装置において予め記憶しておく単位払出数は、システムコントローラ５０で設定し、遊技用装置に配信して記憶するようにすれば良い。そして、例えば前記単位払出数と払出結果玉数との照合ＮＧの場合に、遊技用装置を不能動化するように構成すれば、遊技場が実際の申告よりも小さい単位払出数をパチンコ機１０において設定するような不正を防止できる。
【０２３１】
また変形例２として、前記単位払出数が一定（例えば２５個）である場合には、以下のようにして玉貸処理を行う。まず遊技用装置は、玉貸ボタン１５の操作をユニット制御部２２により検出すると、パチンコ玉の払出を要求する払出要求信号（具体的な払出要求玉数は示さない信号）を払出制御基板１２に対して送信する。該払出要求信号を受信したパチンコ機１０は、玉払出装置１３からパチンコ玉の払出が可能であるか否かを確認し、該確認結果が可能である場合には、玉貸準備信号をユニット制御部２２に対して送信する。該玉貸準備信号を検出した遊技用装置は、玉貸指令信号を払出制御基板１２に対して送信し、該玉貸指令信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、１度数分の玉貸処理の完了を示す玉貸完了信号をユニット制御部２２に対して送信する。該払出結果信号を受信した遊技用装置は、前記１度数分の減算処理を行い、その後、前記玉貸設定度数分の玉貸処理を行う。
【０２３２】
上記の実施形態では、図２及び図３に示すように、ユニット制御部２２とカードＲ／Ｗ制御部２８とが別個に設けられている例について説明したが、これに限らず、該ユニット制御部２２とカードＲ／Ｗ制御部２８とは一体であっても良い。
【０２３３】
上記の第１実施形態では、高額精算回数が所定回数に達したカードユニット２０の装置ＩＤをディスプレイ５４に表示することにより、所定期間（集計期間）内における高額精算回数が予め定められた所定回数（高額精算回数基準値）に達したカードユニット２０を特定可能な態様で報知する例について説明したが、これに限らず、該カードユニット２０に対応して設けられるパチンコ機１０の台番号を表示するようにしても良い。また、装置ＩＤや台番号をスピーカにより音声で出力することにより、前記カードユニット２０を特定可能に報知するようにしても良い。
【０２３４】
上記の第２実施形態では、ユニット制御部２２が指定貨幣設定手段としては機能しない例について説明したが、これに限らず、第２実施形態においても、第１実施形態と同様に、ユニット制御部２２が指定貨幣設定手段として機能するようにしても良い。
【０２３５】
上記の第２実施形態では、ユニット用通信部５１ａが受付金種特定情報送信手段としては機能しない例について説明したが、これに限らず、第２実施形態においても、第１実施形態と同様に、ユニット通信部５１ａが受付金種特定情報送信手段として機能するようにしても良い。
【０２３６】
上記の第２実施形態では、ディスプレイ５４及び入力装置５５が、金種指定受付手段としては機能しない例について説明したが、これに限らず、第２実施形態においても、第１実施形態と同様に、ディスプレイ５４及び入力装置５５が金種指定受付手段として機能するようにしても良い。
【０２３７】
上記の第２実施形態では、精算禁止処理手段（制御部５２）が、記録情報送信手段（通信部６１）から送信された精算許諾要求に含まれる残有価価値特定情報（入金ＩＤ）と対応付けて管理装置記憶手段（精算カードＤＢ）に記憶されている装置識別情報（装置ＩＤ）の遊技用装置（カードユニット２０）に対応する高額精算回数が前記所定回数（高額精算回数基準値）に達しており、かつ該装置識別情報と対応付けて前記管理装置記憶手段（精算カードＤＢ）で記憶されている残有価価値の大きさ（カード残額）が予め定められた第２の所定の大きさ（精算不可金額）以上であることを条件として、当該残有価価値の大きさについての精算を許諾しない旨（高額精算回数基準値到達情報）を精算許諾要求の送信元の精算装置に送信する処理を行う例について説明したが、これに限らず、精算禁止処理手段（制御部５２）は、前記記録情報送信手段（通信部６１）から送信された精算許諾要求に含まれる装置特定情報（入金ＩＤ）と対応付けて管理装置記憶手段（精算カードＤＢ）に記憶されている装置識別情報（装置ＩＤ）の遊技用装置（カードユニット２０）に対応する高額精算回数が前記所定回数（高額精算回数基準値）に達していることを条件として、当該残有価価値の大きさについての精算を許諾しない旨を送信するようにしても良い。即ちカード残額の大きさによらず、高額精算回数が高額精算回数基準値に達していれば、当該カード残額についての精算を許諾しない旨を送信するようにしても良い。
【０２３８】
上記の第３実施形態では、精算処理手段として機能する制御部６２は、受け付けた精算用記録媒体（精算カード５）に記録されている装置特定情報（入金ＩＤ）から特定される遊技用装置（カードユニット２０）の装置識別情報（装置ＩＤ）が前記精算禁止情報記憶手段（制御部６２のＥＥＰＲＯＭ）に記憶されており、かつ該精算用記録媒体に記録されている残有価価値特定情報（入金ＩＤ）から特定される残有価価値の大きさ（カード残額）が予め定められた第２の所定の大きさ（精算不可金額）以上であることを条件として、当該残有価価値の大きさについての精算を行わない例について説明したが、これに限らず、精算処理手段として機能する制御部６２は、受け付けた精算用記録媒体（精算カード５）に記録されている装置特定情報（入金ＩＤ）から特定される遊技用装置（カードユニット２０）の装置識別情報（装置ＩＤ）が前記精算禁止情報記憶手段（制御部６２のＥＥＰＲＯＭ）に記憶されていることを条件として、当該残有価価値の大きさ（カード残額）についての精算を行わないようにしても良い。即ちカード残額の大きさによらず、システムコントローラ５０から受信した装置ＩＤが制御部６２のＥＥＰＲＯＭに記憶されていれば、当該カード残額についての精算を行わないようにしても良い。
【０２３９】
上記の第１実施形態では、図８（ｂ）に示すように、受付可能貨幣指定画面にて指定された金種の貨幣が、カードユニット２０にて貨幣受付手段により受付可能とされる例について説明したが、これに限らず、第１実施形態において、システムコントローラ５０が、図１８（ｂ）に示した受付可能貨幣指令画面にて選択された金種の貨幣を受け付ける指令を、高額精算回数が所定回数に達したカードユニット２０に送信し、カードユニット２０にて受信した指令に応じた貨幣を貨幣受付手段により受付可能とするようにしても良い。これによれば、システムコントローラ５０の指令により受付可能貨幣の自動的な設定も可能となる。
【０２４０】
また、上記の第２実施形態では、システムコントローラ５０が、図１８（ｂ）に示した受付可能貨幣指令画面にて選択された金種の貨幣を受け付ける指令を、高額精算回数が所定回数に達したカードユニット２０に送信し、カードユニット２０にて受信した指令に応じた貨幣を貨幣受付手段により受付可能とする例について説明したが、これに限らず、図８（ｂ）に示すように、受付可能貨幣指定画面にて指定された金種の貨幣が、カードユニット２０にて貨幣受付手段により受付可能とされるようにしても良い。これによれば、システムコントローラ５０の管理者の操作により受付可能貨幣の任意の設定も可能となる。
【０２４１】
上記の実施形態では、図９に示すように、入金残額及びカード残額が零である状態で貨幣（紙幣２及び／又は硬貨３）を受付可能である例について説明したが、これに限らず、入金残額が零でない場合や、カード残額が零でない場合にも、貨幣を受付可能としても良い。
【０２４２】
上記の実施形態では、図１０に示すように、入金金額が1000円以下である場合に低額玉貸処理が行われる例について説明したが、これに限らず、入金金額が１０００円以下であっても、低額玉貸処理が行われず、入金金額が1000円より大きい場合と同様に現金玉貸可能状態となるようにしても良い。
【０２４３】
上記の実施形態では、図６（ｂ）のＤ４に示すように、精算装置６０が受け付けた精算カード５高額精算回数が高額精算回数基準値に達した旨をディスプレイ６４により報知する例について説明したが、これに限らず、該報知は行わなくても良い。一例として、高額精算回数基準値に達している場合に、待機を促す旨又は店員を呼ぶ旨のメッセージをディスプレイ６４に表示して、店員による処置を待つようにしても良い。
【０２４４】
上記の実施形態では、記録情報送信手段である通信部６１が、精算カード受付の際に残有価価値特定情報である入金ＩＤを含む精算許諾要求を送信し、また、精算完了の際に残有価価値特定情報である入金ＩＤを含む精算完了通知を送信する例について説明したが、これに限らず、精算完了の際に精算完了通知を送信せず、精算許諾要求のみを送信するようにしても良い。この場合には、精算許諾要求を受信したシステムコントローラ５０において、カード残額の照合がＯＫであり（受信したカード残額≦受信した入金ＩＤと対応付けて精算カードＤＢに記憶されているカード残額）、照合されたカード残額が高額精算基準金額以上であることを条件として、高額精算回数を加算更新すれば良い。
【０２４５】
上記の実施形態では、カードユニット２０における精算カード玉貸処理に際して、システムコントローラ５０でカード残額の照合を行い、精算カード５に記録されているカード残額≦受信した入金ＩＤと対応付けて精算カードＤＢに記憶されているカード残額（即ちシステムコントローラ５０で管理しているカード残額）である場合に、精算カード玉貸処理を許諾する例について説明したが、これに限らず、精算カード５に記録されているカード残額＝受信した入金ＩＤと対応付けて精算カードＤＢに記憶されているカード残額、であるときにのみ精算カード玉貸処理を許諾するようにしても良い。
【０２４６】
上記の実施形態では、精算装置６０における精算処理に際して、システムコントローラ５０でカード残額の照合を行い、精算カード５に記録されているカード残額≦受信した入金ＩＤと対応付けて精算カードＤＢに記憶されているカード残額（即ちシステムコントローラ５０で管理しているカード残額）であることに基づいて、精算処理を許諾する例について説明したが、これに限らず、精算カード５に記録されているカード残額＝受信した入金ＩＤと対応付けて精算カードＤＢに記憶されているカード残額、であることに基づいて精算処理を許諾するようにしても良い。
【図面の簡単な説明】
【０２４７】
【図１】図１は本発明に係る遊技用システムの一例を表す接続図である。
【図２】図２は本発明に係る遊技用システムの一例を表す機能ブロック図である。
【図３】図３（ａ）はカードユニット及びパチンコ機の正面図であり、図３（ｂ）はカードユニットの断面右側面図である。
【図４】図４はカードユニットとパチンコ機の間で送受される信号の一例を表す図である。
【図５】図５はシステムコントローラに備えられるハードディスクの記憶内容の一例を表す図である。
【図６】図６（ａ）は精算装置の斜視図であり、図６（ｂ）は精算装置に設けられたディスプレイの表示内容の一例を表す図である。
【図７】図７はシステムコントローラのディスプレイに表示される高額精算回数基準値設定画面の一例を表す図である。
【図８】図８（ａ）はシステムコントローラのディスプレイに表示される報知画面の一例を表す図であり、図８（ｂ）は同ディスプレイに表示される受付可能貨幣指定画面の一例を表す図である。
【図９】図９はカードユニットに貨幣が入金されたときの処理の一例を表す図である。
【図１０】図１０は図９の続きである。
【図１１】図１１はカードユニットに精算カードが挿入されたときの処理の一例を表す図である。
【図１２】図１２は玉貸ボタンが操作されたときの処理の一例を表す図である。
【図１３】図１３は現金玉貸処理が行われるときの処理の一例を表す図である。
【図１４】図１４は精算カード玉貸処理が行われるときの処理の一例を表す図である。
【図１５】図１５はカード返却ボタンが操作されたときの処理の一例を表す図である。
【図１６】図１６は入金残額が精算カードに記録されるときの処理の一例を表す図である。
【図１７】図１７は精算装置とシステムコントローラにおける精算処理の一例を表す図である。
【図１８】図１８（ａ）はシステムコントローラのディスプレイに表示される精算許諾金額設定画面の一例を表す図であり、図１８（ｂ）は同ディスプレイに表示される受付可能貨幣指令画面の一例を表す図である。
【図１９】図１９は第２実施形態の精算装置とシステムコントローラにおける精算処理の一例を表す図である。
【図２０】図２０は第３実施形態の精算装置とシステムコントローラにおける精算処理の一例を表す図である。
【符号の説明】
【０２４８】
１…遊技用システム
２…紙幣
３…硬貨
５…精算カード
１０…パチンコ機
２０…カードユニット
２２…ユニット制御部
２３…紙幣識別機
２４…硬貨識別機
２７…カードＲ／Ｗ
２８…カードＲ／Ｗ制御部
２８ａ…システムコントローラ用通信部
５０…システムコントローラ
５１ａ…ユニット用通信部
５１ｃ…精算装置用通信部
５３…ハードディスク
５４…ディスプレイ
５５…入力装置
６０…精算装置
６１…通信部
６２…制御部
【図１】
2006075180.tif 000003
【図２】
2006075180.tif 000004
【図３】
2006075180.tif 000005
【図４】
2006075180.tif 000006
【図５】
2006075180.tif 000007
【図６】
2006075180.tif 000008
【図７】
2006075180.tif 000009
【図８】
2006075180.tif 000010
【図９】
2006075180.tif 000011
【図１０】
2006075180.tif 000012
【図１１】
2006075180.tif 000013
【図１２】
2006075180.tif 000014
【図１３】
2006075180.tif 000015
【図１４】
2006075180.tif 000016
【図１５】
2006075180.tif 000017
【図１６】
2006075180.tif 000018
【図１７】
2006075180.tif 000019
【図１８】
2006075180.tif 000020
【図１９】
2006075180.tif 000021
【図２０】
2006075180.tif 000022